(57)【要約】  本発明は、浄化される物品１１６を浄化するための浄化装置１１０を提案する。浄化装置１１０は、少なくとも１つの浄化室１１４と、浄化室１１４内で浄化される物品１１６に少なくとも１つの浄化流体を適用するための少なくとも１つの適用装置１２０とを備える。浄化装置１１０は、少なくとも１つの制御装置１５７をさらに備え、制御装置１５７は、少なくとも２つの動作モードを実行するために、浄化装置１１０を作動させるように設計される。制御装置１５７は、少なくとも１つの利用変数を検出するようにさらに設計される。利用変数は、浄化装置１１０の現在の利用を特徴付ける。制御装置１５７は、少なくとも１つの重み付けを、少なくとも１つの利用変数に割り当てるようにさらに設計される。制御装置１５７は、少なくとも１つの計数装置１７０をさらに有し、計数装置１７０は、重み付けで重み付けされる浄化装置１１０の利用時間を累計し、それから浄化装置１１０の使用に関する使用情報の少なくとも１つの項目を生成するように設計される。
2020506777.tif 000002
【特許請求の範囲】
【請求項１】
浄化される物品（１１６）を浄化するための浄化装置（１１０）、特に食器洗浄機であって、少なくとも１つの浄化室（１１４）と、前記浄化室（１１４）内で前記浄化される物品（１１６）に少なくとも１つの浄化流体を適用するための少なくとも１つの適用装置（１２０）とを備え、少なくとも１つの制御装置（１５７）をさらに備え、前記制御装置（１５７）は、少なくとも２つの動作モードを実行するために、前記浄化装置（１１０）を作動させるように設計され、前記制御装置（１５７）は、少なくとも１つの利用変数を検出するようにさらに設計され、前記利用変数は、前記浄化装置（１１０）の現在の利用を特徴付け、前記制御装置（１５７）は、少なくとも１つの重み付けを、前記少なくとも１つの利用変数に割り当てるようにさらに設計され、前記制御装置（１５７）は、少なくとも１つの計数装置（１７０）をさらに有し、前記計数装置（１７０）は、前記重み付けで重み付けされる前記浄化装置（１１０）の利用時間を累計し、それから前記浄化装置（１１０）の使用に関する使用情報の少なくとも１つの項目を生成するように設計される、浄化装置（１１０）。
【請求項２】
前記浄化装置（１１０）は、単室型食器洗浄機（１１２）、パススルー型食器洗浄機、フードタイプ食器洗浄機、コンベア食器洗浄機（３１２）、浄化および消毒器、個人用保護装置を浄化および／または消毒するための浄化装置からなる群から選択される、請求項１記載の浄化装置（１１０）。
【請求項３】
前記制御装置（１５７）は、時間検出モードに従い前記利用時間を検出するように設計され、前記時間検出モードは、連続時間検出動作、離散時間間隔における累積時間検出動作、離散利用サイクルにおける累積時間検出動作からなる群から選択される、請求項１または２記載の浄化装置（１１０）。
【請求項４】
前記制御装置（１５７）は、少なくとも１つの割り当てアルゴリズムを用いて、および／または少なくとも１つの割り当て表を用いて、前記重み付けの割り当てを実行するように設計される、請求項１〜３のいずれか１項に記載の浄化装置（１１０）。
【請求項５】
前記利用変数は、前記制御装置（１５７）により検出される、前記浄化装置（１１０）の少なくとも１つの動作パラメータを含むか、または、前記制御装置（１５７）により検出される、前記浄化装置（１１０）の少なくとも１つの動作パラメータを用いて確認される、請求項１〜４のいずれか１項に記載の浄化装置（１１０）。
【請求項６】
前記少なくとも１つの動作パラメータは、前記少なくとも１つの浄化流体の温度と、媒体の消費水準、特に水または洗剤からなる群から選択される少なくとも１つの媒体の消費水準と、前記浄化装置の少なくとも１人の消費者のスイッチオン期間と、前記適用装置（１２０）の少なくとも１つのノズルアーム（１２５）の回転速度と、少なくとも１つの浄化流体の特性、特に少なくとも１つの浄化流体のｐＨ値および／または硬度、特に前記浄化流体内に使用される水のｐＨ値および／または硬度と、前記少なくとも１つの浄化流体の種類および／または前記少なくとも１つの浄化流体の成分の種類と、前記浄化装置（１１０）の少なくとも１つの加熱要素（１５４、１５６；３６６）の加熱力と、前記浄化装置（１１０）の電気エネルギー摂取量と、少なくとも１つのポンプ（１３２、１４２、１５０；３４０、３４６、３６０）の回転速度と、ポンプの回転数と、前記浄化される物品に作用する圧力と、前記適用装置を用いて噴射される体積流量と、前記浄化装置（１１０）の少なくとも１つの扉（１２８）の扉動作と、前記浄化装置（１１０）の少なくとも１つの搬送装置（３１４）の搬送パラメータ、特に搬送速度と、時間単位ごとの搬送距離と、絶対搬送距離と、浄化される物品（１１６）の量と、浄化される物品（１１６）のための搬送ラック（３１６）の量と、浄化される物品（１１６）のスループットと、選択される浄化プログラムの種類と、前記浄化装置（１１０）の少なくとも１つの流体タンク（１３６、１４４；３４２、３４８、３５８）内の浄化流体の量と、前記浄化装置（１１０）の振動と、前記浄化装置（１１０）の周囲温度と、前記浄化装置内で浄化される、少なくとも１つの浄化される物品の種類と、前記浄化装置内で浄化される、少なくとも１つの浄化される物品の量と、前記浄化装置内で浄化される、少なくとも１つの浄化される物品の材料と、前記浄化装置内で浄化される、少なくとも１つの浄化される物品の汚れの程度と、前記浄化装置（１１０）の場所と、からなる群から選択される、請求項５記載の浄化装置（１１０）。
【請求項７】
前記計数装置（１７０）は、
【数１】
2020506777.tif 000011
からなる群から選択される少なくとも１つのアルゴリズムに従い前記使用情報を判定するように設計され、
ここでは、
Ｎ（Ｔ）は、時間Ｔにおける前記使用情報の現在の値、
ｃは、較正係数、
Ｔは、使用情報が判定されることが意図される観察時間、
ｐ1、・・・、ｐnは、前記浄化装置（１１０）の利用変数、
ｆは、少なくとも１つの利用変数ｐiに依存する重み付け関数、
ｉは、すべての検出された離散使用間隔に亘る実行変数、および
Ｂ（Ｔ）は、前記浄化装置（１１０）の少なくとも１つのメンテナンス処理の少なくとも１つの実績を考慮するボーナス関数、
である、
請求項１〜６のいずれか１項に記載の浄化装置（１１０）。
【請求項８】
前記重み付け関数は、重み付け係数ｂjで重み付けされる少なくとも２つの利用変数の線形結合
【数２】
2020506777.tif 000012
である、請求項７記載の浄化装置（１１０）。
【請求項９】
前記制御装置（１５７）は、前記少なくとも１つの利用変数が、前記浄化装置（１１０）の少なくとも１つの使用可能寿命および／または少なくとも１つの待機時間を含むようにさらに設計される、請求項１〜８のいずれか１項に記載の浄化装置（１１０）。
【請求項１０】
前記制御装置（１５７）は、少なくとも１つのメンテナンス処理の実績を検出するようにさらに設計され、前記計数装置（１７０）は、前記使用情報を生成する際に、前記メンテナンス処理を考慮するように設計される、請求項１〜９のいずれか１項に記載の浄化装置（１１０）。
【請求項１１】
前記制御装置（１５７）は、前記使用情報の通常使用に対して反対の数学記号を用いて前記メンテナンス処理を考慮するように設計される、請求項１０記載の浄化装置（１１０）。
【請求項１２】
前記メンテナンス処理は、自己浄化サイクル、メンテナンス媒体、特に水軟化剤および／またはスケール除去剤の使用、定期的浄化動作、前記浄化装置の整備動作からなる群から選択される少なくとも１つの要素を含む、請求項１０または１１記載の浄化装置（１１０）。
【請求項１３】
浄化される物品（１１６）を浄化するための浄化システム（１７２）であって、請求項１〜１２のいずれか１項に記載の少なくとも１つの浄化装置（１１０）を備え、少なくとも１つの読み取り装置（１７４）をさらに備え、前記読み取り装置（１７４）は、前記浄化装置（１１０）から前記使用情報を読み出すように設計される、浄化システム（１７２）。
【請求項１４】
前記読み取り装置（１７４）は、前記浄化システム（１７２）から分離して設計され、少なくとも１つのインターフェース（１７６）を介して前記浄化装置（１１０）に接続され得る、請求項１３記載の浄化システム（１７２）。
【請求項１５】
前記読み取り装置（１７４）は、少なくとも１つの費用計算装置（１８０）をさらに有し、前記費用計算装置（１８０）は、少なくとも１つの使用料を、読み出された前記使用情報に割り当てるように設計される、請求項１３または１４記載の浄化システム（１７２）。
【請求項１６】
浄化される物品（１１６）を浄化するために浄化装置（１１０）を動作させるための方法であって、
前記浄化装置（１１０）は、少なくとも１つの浄化室（１１４）と、前記浄化室（１１４）内で前記浄化される物品（１１６）に少なくとも１つの浄化流体を適用するための少なくとも１つの適用装置（１２０）とを有し、
前記方法は、以下の、
ａ）前記浄化装置（１１０）の少なくとも１つの利用変数を検出するステップであって、前記利用変数が、前記浄化装置（１１０）の現在の使用を特徴付ける、ステップと、
ｂ）少なくとも１つの重み付けを前記少なくとも１つの利用変数に割り当てるステップと、
ｃ）前記重み付けで重み付けされた、前記浄化装置（１１０）の利用時間の累積から、前記浄化装置（１１０）の使用に関する使用情報の少なくとも１つの項目を生成するステップと
を含む、方法。
【請求項１７】
請求項１〜１２のいずれか１項に記載の浄化装置（１１０）が使用される、請求項１６記載の方法。
【請求項１８】
前記方法ステップａ）〜ｃ）は、少なくとも１つのコンピュータまたはコンピュータプログラムを使用して実行される、請求項１６または１７記載の方法。
【請求項１９】
コンピュータプログラムであって、前記コンピュータプログラムがコンピュータまたはコンピュータネットワーク上で実行される場合、請求項１６〜１８のいずれか１項に記載の方法を実行するためのプログラムコードを含むコンピュータプログラム。
【請求項２０】
請求項１〜１２のいずれか１項に記載の浄化装置（１１０）の使用であって、前記浄化装置（１１０）の利用料の使用依存計算のための、浄化装置（１１０）の使用。
【発明の詳細な説明】
【技術分野】
【０００１】
本発明は、浄化される物品を浄化するための、特に商用の食器洗浄、および／または大型キッチンにおける使用のための方法、浄化装置および浄化システムに関する。この種類の浄化装置は、たとえば、特に、オフィスの食堂、学校、公共団体、病院または療養施設内の食堂など大規模ケータリングのための設備に使用され得る。浄化装置は、特に、食べ物および飲料を準備、保存または給仕するために直接的または間接的に使用される、洗浄物の形態の浄化される物品を浄化するために使用され得る。浄化される物品は、特に、食器および／またはトレーであり得る。原則として、本発明の他の分野の使用、特に、基本的に、任意の望ましい洗浄物と共に、および／または家庭内での使用の分野も実行可能である。さらに、浄化および消毒機器、特に、いわゆる便器洗浄機など、医療用具の浄化における使用も実行可能である。個人用保護装置のための浄化機器および／または消毒機器における使用、たとえば呼吸用マスクの浄化のための使用もまた、可能である。他の分野の使用も原則として可能である。
【背景技術】
【０００２】
浄化される物品を浄化および／または消毒し得る、浄化機器とも呼称される多数の浄化装置が先行技術により知られている。以下に続く本文において、他の可能な分野の使用を制限することなく、本発明は主に、洗浄の分野、特に商用洗浄、たとえば商用食器洗浄の分野を参照する。したがって、静止型洗浄工程を含む箱型洗浄機に加えて、浄化される物品が、搬送装置により１つまたは複数の浄化室を通過するように搬送されか、または浄化室に挿入され得る、コンベア洗浄機またはパススルー型食器洗浄機が知られている。これらの浄化装置の設計の全体は、大部分が、たとえば、浄化される物品の種類、汚れ、スループットまたは類似の条件など、さまざまな境界条件に依存する。例として、たとえば、特許文献１、特許文献２または特許文献３に記載された浄化装置を参照し得る。さらに、洗浄、特に食器洗浄における使用のための浄化装置に加え、本発明は、原則的に、たとえば他の領域の浄化装置のためにも使用され得る。たとえば、本発明は、たとえば、便器または尿瓶など医療用具の浄化のために設計された特許文献１、特許文献２または特許文献３に類似して記載される、浄化および消毒機器として設計される浄化装置において使用され得る。他方では、代替として、または追加的に、本発明は、特許文献４に記載されるような個人用保護装置を浄化するために使用され得る浄化装置にも使用され得る。しかし、他の分野の使用が実行可能である。
【０００３】
家庭用食器洗浄と対照的に、商用洗浄機は、一般的に、浄化される物品のスループットを促進することを可能にするために、複数の流体タンクを有する。たとえば、実際の洗浄タンクに加えて、リンスタンクがさらに設けられ、リンスタンク内にて、リンス液または最終リンス液の温度が、主要洗浄工程が依然として実行されている間の早期に調節され得る。コンベア洗浄機は、一般的に、浄化される物品が順に浄化される複数の浄化領域を有する。しかし、スループットの増加には、一般的に、家庭用食器洗浄と比較して、エネルギー支出の著しい増加、および多くの場合、洗剤液の必要性の増加が伴う。
【０００４】
特に、商用食器洗浄機、時には私的な領域で使用され得る食器洗浄機、またはたとえば公共団体またはクラブで使用される他の浄化装置は、多くの場合、相当な投資を意味する。比較的小さな事業、またはクラブおよび公共団体は、具体的には、しばしば浄化装置の購入に関連する投資費用に耐える財政状態にない。したがって、それぞれのオペレータによる浄化装置の完全購入に関連しない柔軟な利用モデルは、具体的には浄化部門において、より普及してきている。レンタルモデル、分割払い式購入モデルまたは他の利用モデルが、単に例として言及され得る。
【０００５】
しかし、多数の代替的利用モデルにおける１つの課題は、オペレータの利益と、浄化装置の供給元の利益とにバランスをもたらす、適切な請求手順の選択である。単にレンタル期間に基づく請求に加えて、浄化装置の実際の利用が考慮される請求モデルが、原則として知られる。たとえば、特許文献５および特許文献６は、洗浄機の明確な識別を可能にする識別番号（ＩＤ）およびキーを保存するメモリユニットを備える洗浄機を記載する。洗浄機は、洗浄サイクル受付番号（ＳＢＮ）を入力するためのデータ入力ユニットをさらに備え、許可される洗浄サイクルの回数は、洗浄サイクル受付番号（ＳＢＮ）により取得される。洗浄機は、また、認証ユニットを備え、認証ユニットは、洗浄サイクル受付番号（ＳＢＮ）が、識別番号（ＩＤ）およびキーにより識別される洗浄機に有効であるかどうかを確認するように設計され、識別が正である場合に、洗浄サイクル受付番号（ＳＢＮ）を使用して洗浄サイクルのその回数、洗浄機を作動させるように、または識別が負である場合に、洗浄機をブロックするようにさらに設計される。
【０００６】
特許文献７は、食器洗浄工程の費用監視システムを開示している。食器洗浄工程中に水を内部で流動させるポンプおよび／またはバルブが、監視される。監視装置は、同一の基準費用に基づいて出力値を提供する。これらの出力値は組み合わされ、食器洗浄工程の費用が視覚的に表示される。
【０００７】
特許文献８は、洗車設備のユーザに情報を提供する方法を開示している。方法は、洗車設備から１つまたは複数の信号を受信することを含み、１つまたは複数の信号は、１つまたは複数の支払い手続きを表す。１つの支払い手続きまたは複数の支払い手続きで購入された１つまたは複数の洗車機能の値を表す１つまたは複数の信号が、洗車設備から受信される。１つの支払い手続きまたは複数の支払い手続きで購入された１つの洗車機能または複数の洗車機能の値が、表示される。方法は、１つの支払い手続きまたは複数の支払い手続きで購入された１つの洗車機能または複数の洗車機能の値を表示することを含む情報を提供することをさらに含む。さらなる構成は、自動販売機および洗車設備のメッセージング装置に関する。
【０００８】
特許文献９は、含水式の家庭用機器、特に食器洗浄機または洗濯機を開示している。再生され得るイオン交換器により実質的に構成される水軟化装置であって、イオン交換器内で軟水化された水を、イオン交換器の消耗具合を考慮して未処理水を加えることにより調整させる水軟化装置を有する含水式の家庭用機器、特に食器洗浄機または洗濯機において、混合された未処理水の量のより単純かつ正確な制御をもたらすために、イオン交換器内で軟水化された水が、その発明による貯蔵容器内に充填される。この場合、第１に、貯蔵容器の充填期間が検出され、第２に、これが、イオン交換体が最後に再生された時点までの合計充填期間を生成するために合計され、充填期間に基づいて、混合に利用できる軟水の量が確認され、合計充填期間に基づいて、イオン交換器が最後に再生された時点までにイオン交換器により軟化された水の量、およびイオン交換器の消耗の対応する状態が確認され、そこから浄化液の所定の程度の硬度のために加えられる未処理水の量が判定される。
【０００９】
特許文献１０には、支払われた元の料金の割り当て、および新たに選択された製品の選択に関連する新たな計算パラメータの関数として、販売手続き中にまだ残っている期間を再計算することにより、販売手続き中の様々な販売品の選択に応答できる販売機が記載される。
【００１０】
特許文献１１には、高圧浄化器が記載される。記載される高圧浄化器は、支払機が、実質的により単純かつ費用効率の良い方法で構築され得るように、および１つの動作モードから別の動作モードへの切り替えが行われたときに、１つの動作モードの、その時までに利用されていない稼働時間が他の動作モードに移され得るように、支払機を有する高圧浄化器を開発するという課題を有する。その発明は、オペレータ制御部のオペレータ制御パネル上に配置されるスイッチを使用して動作モードが選択され得ること、追加のオペレータ制御要素を用いて、各動作モードに対し実行時間が選択され得ること、および選択された実行時間の合計が、デコーダにより検出され、コインパルスカウンタにより検出される合計時間と比較され得ることを特徴とする。１つの構成は、各動作モードを含み、各動作モードは、選択された動作モードをオンに電磁気的に切り替えるためのリレーコイルおよび関連のリレー接点が割り当てられ、それぞれのリレーコイルがスイッチを用いてオンに切り替えられることが可能になり、各リレーコイルが、時間基準と直列に接続され、時間基準の出力が、デコーダの共通入力を生成する。
【００１１】
特許文献１２には、ユーザが、様々な時間および様々な機能で洗車設備配置を使用することを可能にするコインで動作する洗車設備制御配置が記載されている。２つの異なる時間計測器を提供することにより、２つの異なる機能が要求され、および支払われることが可能であり、時間が累積されることが可能である。さらに、ユーザは、任意の時点である機能から別の機能へと切り替えし、望みどおりに追加の料金を挿入することができる。比較装置は、経過時間を使用された時間と比較し、２つの時間が対応する場合、システムをオフに切り替える。オペレータは、異なる機能のための２つの異なる期間をプリセットし得る。
【００１２】
特許文献１には、単室型食器洗浄機の洗浄室に収容される洗浄物、または自動浄化および消毒機械の浄化室内に収容される浄化される物品に対する熱衛生効果を評価および促進する方法が記載されており、温度センサは、洗浄室または浄化室に持続的に割り当てられる。熱衛生効果は、洗浄物または浄化される物品に作用する温度および活動時間を用いて温度センサおよび制御装置を使用して検出され、そこから熱当量値が計算される。
【００１３】
これらの構成に関連する技術的利点にもかかわらず、技術的要求は依然として残る。特に、記載された洗浄サイクルの検出は、比較的、柔軟性が低く、事前の有効性に関連する。したがって、たとえば、この種の構成では、プリペイドモデルのみが可能である。さらに、洗浄サイクルを単に計数することは、たとえば、利用動作の強度またはユーザによる浄化装置の取り扱いを考慮しない。この場合、浄化装置の供給元は、オペレータによる浄化装置の乱暴な取り扱いが考慮されないという不利な点に直面する。オペレータ自身に対し、記載されたモデルは、たとえば、浄化装置の慎重な利用が請求モードにおいて依然として考慮されず、したがって計数されないという不利な点を有する。
【先行技術文献】
【特許文献】
【００１４】
【特許文献１】独国特許出願公開第１０２００４０５６０５２号明細書
【特許文献２】独国特許出願公開第１０２００７０２５２６３号明細書
【特許文献３】独国特許出願公開第１０２０１３２２００３５号明細書
【特許文献４】国際公開第２０１１／１４４５１８号
【特許文献５】独国特許発明第１０２０１１１０９８０１号明細書
【特許文献６】欧州特許第２７４２４９５号明細書
【特許文献７】米国特許出願公開第４０７６５５４号明細書
【特許文献８】米国特許出願公開第２００６／０１４４４３０号明細書
【特許文献９】独国特許出願公開第１９９０５９７９号明細書
【特許文献１０】米国特許出願公開第５３７１６８１号明細書
【特許文献１１】独国特許出願公開第３１４６７２５号明細書
【特許文献１２】カナダ国特許出願公開第１１８９９３３号明細書
【発明の概要】
【００１５】
したがって、本発明の目的は、前述の種類の既知の装置および方法の不利な点の少なくとも大部分を回避する、浄化される物品を浄化するための浄化装置、浄化システムおよび方法を提供することである。特に、提案される装置および方法は、供給元および浄化装置のオペレータの両方に有利な、より柔軟な請求モデルを可能にすることを意図している。
【００１６】
この目的は、独立請求項の特徴を有する、浄化される物品を浄化するための浄化装置、浄化システムおよび方法により達成される。個別に、または任意の望ましい組み合わせで実現され得る有利な発展例が、従属請求項に提示される。
【００１７】
以下に続く本文において、「有する」、「包含する」、「備える」もしくは「含む」という用語、または任意の文法上の派生語は、非排他的に用いられる。したがって、これらの用語は、これらの用語により導入される特徴以外に、さらなる特徴が存在しない状況、または１つまたは複数のさらなる特徴が存在する状況のいずれかを参照し得る。たとえば、「ＡはＢを有する」、「ＡはＢを包含する」、「ＡはＢを備える」または「ＡはＢを含む」という表現は、Ｂ以外に、さらなる要素がＡには存在しないという状況（すなわち、ＡはＢのみからなるという状況）、またはＢに加えて、１つまたは複数のさらなる要素、たとえば要素Ｃ、要素ＣおよびＤ、またはさらなる要素がＡに存在するという状況のいずれかを参照し得る。
【００１８】
さらに、「少なくとも１つ」および「１つまたは複数」という用語、ならびにこれらの用語の文法上の変形は、それらが、１つまたは複数の要素または特徴に関連して使用され、要素または特徴が、単独で、または複数で提供され得るということを表現することを意図される場合、概して、たとえばその特徴または要素が初めて導入されたときに１回のみ使用されることに留意すべきである。その特徴または要素が、その後に再度言及される場合、概して、「少なくとも１つ」または「１つまたは複数の」という対応する用語は、これ以上は使用されないが、その特徴または要素が、単独で、または複数で提供され得るという可能性は制限されない。
【００１９】
さらに、以下に続く本文において、「好ましくは」、「特に」、「たとえば」という用語、または類似の用語は、任意の特徴と併せて使用されるが、それによって代替の実施形態は制限されない。この点に関して、これらの用語より導入される特徴は、任意の特徴であり、請求項、特に独立請求項の保護の範囲は、これらの特徴により制限されることを意図しない。この点に関して、当業者が理解するように、本発明は、また、他の構成を用いて実行され得る。同様に、「本発明の一実施形態では」によって、または「本発明の一例示的実施形態では」によって導入される特徴は、任意の特徴であると理解され、代替の構成または独立請求項の保護の範囲は、それにより制限されることは意図されない。さらに、これらの導入表現により導入される特徴と、任意の特徴であれ、非任意の特徴であれ、他の特徴との考えられるすべての組合せは、これらの導入表現による影響を受けないままであることが意図される。
【００２０】
本発明の第１の態様は、浄化される物品を浄化するための浄化装置を提案する。浄化装置は、少なくとも１つの浄化室と、浄化室内で浄化される物品に少なくとも１つの浄化流体を適用するための少なくとも１つの適用装置とを備える。浄化装置は、少なくとも１つの制御装置をさらに備え、制御装置は、少なくとも２つの動作モード、特に少なくとも２つの浄化プログラムを実行するために浄化装置を作動させるように設計される。制御装置は、少なくとも１つの利用変数を検出するようにさらに設計され、利用変数は、浄化装置の現在の利用を特徴付ける。制御装置は、少なくとも１つの重み付けを、少なくとも１つの利用変数に割り当てるようにさらに設計される。制御装置は、少なくとも１つの計数装置をさらに有し、計数装置は、重み付けで重み付けされる浄化装置の利用時間を累計し、そこから浄化装置の使用に関する使用情報の少なくとも１つの項目を生成するように設計される。
【００２１】
本発明の範囲内では、浄化装置は、概して、浄化される物品から、付着する不純物および／または細菌を少なくとも部分的に除去するように設計される装置を意味すると理解されるように意図される。浄化装置は、たとえば、食器洗浄機、特に商用食器洗浄機、たとえば箱型食器洗浄機および／またはパススルー型食器洗浄機であり得る。しかし、代替として、または追加的に、浄化装置は、全体的または部分的に、浄化および消毒機器として、たとえば人間の排泄物を受容するための容器を浄化するように設計される浄化装置としても構成され得る。この点に関して、概して、たとえば、特許文献１および／または特許文献２に記載された浄化装置が参照され得る。浄化装置は、また、食料生産および／または食品加工の分野における容器を浄化するために使用され得る洗浄機であり得る。さらに、浄化装置は、消毒洗浄機、たとえば呼吸用マスクを浄化および消毒するための洗浄機であってもよい。しかし、原則として他の構成も考えられる。
【００２２】
浄化装置は、特にコンベア洗浄機として、特にパススルー型食器洗浄機として設計され得る。ここでは、コンベア食器洗浄機は、食器洗浄機、すなわち、食器の形態の洗浄物を、浄化室を通過して搬送するように設計される、洗浄物を浄化するための機械を意味すると理解されるよう意図される。特に、コンベア食器洗浄機は、フライト型食器洗浄機および／またはラックコンベア食器洗浄機、つまり、コンベアベルト、たとえば瀬戸物が上に直接設置される、および／または浄化される瀬戸物を運搬する１つまたは複数のラックが上に設置されるコンベアベルトを用いて瀬戸物が浄化装置を通過するよう搬送される食器洗浄機であってもよい。コンベア食器洗浄機は、特に、たとえば大規模ケータリングのための前述の設備のうちの１つまたは複数における商用利用のために設計され得る。しかし、原則として、他の種類の浄化装置もまた可能である。
【００２３】
浄化流体は、たとえば、浄化液および／または気体状の浄化流体であり得る。たとえば、この浄化流体は、浄化液、たとえば水性の浄化液、たとえば真水の形態の水を、および／または１つもしくは複数の添加剤、たとえば１つもしくは複数の洗剤濃縮液および／または１つもしくは複数の最終リンス助剤濃縮液および／または１つもしくは複数の消毒剤を含む水を含み得る。たとえば、浄化流体は、１つの添加剤または複数の添加剤、たとえば、洗剤濃縮液、最終リンス助剤および消毒剤からなる群から選択される少なくとも１つの添加剤を有し得る。代替として、または追加的に、浄化流体は、たとえば、蒸気を含み得る。しかし、原則として他の構成も考えられる。少なくとも１つの浄化流体は、原則として、少なくとも１つの浄化液、たとえば、特に少なくとも１つの水性の浄化液を含み得る。原則として、他の種類の浄化流体も使用され得る。したがって、浄化流体は、浄化される物品に対し浄化効果を有し得る任意の望ましい流体、特に液体を意味すると理解され得る。
【００２４】
ここでは、浄化室は、概して、既に説明した、浄化される物品に対する浄化工程が、完全に、または部分的に実行される室を意味することが理解される。特に、浄化流体または複数の浄化流体のうちの１つが、浄化室内にて適用される。さらに、浄化装置は、浄化される物品を、搬送方向に入口領域から浄化室を通過して出口領域へと搬送するように設計される少なくとも１つの搬送装置を備え得る。室は、好ましくは、ハウジングにより完全に、または部分的に囲まれる。特に、浄化室は、トンネル状設計であってもよく、または、たとえば入口と出口を備えるトンネルの一部を含んでもよく、そこでは、浄化される物品が入口にて浄化室に入り、出口にて浄化室から出る。したがって入口は、搬送方向において浄化室の前方に直接に配置される、浄化室の外部の領域であって、浄化される物品が搬送装置上に設置され得る領域を意味すると理解されるよう意図される。それに伴って、出口は、搬送方向にて浄化室の後方に直接に配置される、浄化室の外部の領域であって、浄化される物品が搬送装置から取り出される領域を意味すると理解されるよう意図される。本発明の範囲内では、搬送装置は、概して、浄化される物品を、搬送方向で浄化室を通過して搬送するように設計される任意の望ましい装置を意味すると理解されるよう意図される。たとえば、この搬送装置は、少なくとも１つのコンベアベルトを備えるフライト型装置、ラッチ搬送システム、および少なくとも１つの搬送ローラまたは複数の搬送ローラ、たとえば１つまたは複数の駆動式搬送ローラを有するローラ搬送装置の中から選択されてもよく、搬送装置を用いてたとえば、浄化される物品が直接、および／または浄化される物品を保持する１つまたは複数のラックが、浄化室を通過して搬送方向に搬送され得る。搬送装置は、たとえば、少なくとも１つの駆動装置、たとえば少なくとも１つの駆動モータを有し得る。たとえば、駆動装置は、少なくとも１つのコンベアベルトおよび／または少なくとも１つの搬送ローラもしくは搬送装置の別の種類の搬送要素を駆動する駆動装置であり得る。
【００２５】
ここでは、適用装置は、原則として、それを用いて、たとえば、浄化流体を浄化される物品に噴射、照射、または滴下することにより、浄化流体が浄化される物品に適用され得る任意の望ましい装置または装置の組合せを意味すると理解されるよう意図される。たとえば、適用装置は、少なくとも１つのノズルシステムを有し得る。したがって、たとえば、１つまたは複数のノズルシステムは、コンベア食器洗浄機内に設けられ得る。たとえば複数の浄化領域が設けられる場合、各浄化領域は、たとえば、この種類の少なくとも１つの関連のノズルシステムを有し得る。たとえば、浄化装置は、浄化される物品が順々に浄化領域を通過するように設計され得る。たとえば、この種類の浄化領域の配置については、前述の先行技術を参照し得る。
【００２６】
浄化装置は、前述のように、少なくとも１つの制御装置を備える。本発明の範囲内では、制御装置は、浄化装置の動作を完全に、または部分的に制御および／または調整するように設計される浄化装置の単一部品または複数部品装置を意味すると理解されるよう意図される。特に、制御装置は、浄化装置の１つまたは複数の動作パラメータ、たとえば少なくとも１つの温度、少なくとも１つの圧力、少なくとも１つの搬送速度または、前述の、および／または他の動作パラメータの組合せを修正、特に制御および／または調整するように設計され得る。制御装置は、特に、少なくとも１つのデータ処理装置、たとえば少なくとも１つのプロセッサを備え得る。制御装置は、プログラミングに関して、特に、たとえば浄化装置の少なくとも１つの浄化プログラムを制御するように、および本発明による方法を制御または実行するように設計され得る。さらに、制御装置は、以下においてより詳細に説明するように、少なくとも１つの揮発性および／または不揮発性データメモリを備え得る。制御装置は、少なくとも１つのインターフェース、たとえば、コマンドを入力するため、および／もしくは情報を出力するためのマン／マシンインターフェース、ならびに／または浄化装置と少なくとも１つのさらなる装置との間でのデータおよび／もしくはコマンドの一方向性もしくは双方向性交換のための無線もしくは有線インターフェースも備え得る。制御装置は、特に、少なくとも１つのコンピュータおよび／または少なくとも１つのプロセッサを備え得る。制御装置は、特に、浄化装置の集中型または分散型機械制御装置であり得る。
【００２７】
制御装置は、上記のように、少なくとも２つの動作モードを実行するために浄化装置を作動させるように設計される。ここでは、動作モードは、少なくとも１つの動作パラメータにより特徴付けられる浄化装置の動作を意味すると理解されるよう意図される。概して、動作は、浄化装置の利用を意味すると理解されるよう意図される。したがって、利用は、浄化装置が、浄化される物品を浄化するために実際に使用されるように、または、浄化装置が、たとえば、動作する準備ができている状態であるか、もしくは、たとえば、浄化プログラムもしくは整備プログラムが実行されるかのいずれかである別の方法で動作されるように構成され得る。浄化装置が、浄化される物品を浄化するために使用される動作モードは、浄化モードとも呼称され得る。したがって、少なくとも２つの動作モードは、少なくとも１つの浄化モードまたは少なくとも２つの異なる浄化モードを含み得る。概して、少なくとも２つの動作モードは、特に、浄化流体が浄化される物品に適用される浄化プログラムと、浄化された物品を乾燥させるための乾燥プログラムと、浄化装置を整備するための整備プログラムと、待機モードと、浄化装置の自己浄化モードとからなる群から選択され得る。しかし、他の構成もまた可能である。
【００２８】
概して、浄化プログラムは、浄化される物品が制御条件下で浄化される、連続式、時間制限式、または循環式工程を意味すると理解されるよう意図される。各浄化プログラムは、たとえば制御装置により、たとえば、事前に指定され、好ましくは、監視される特定の動作パラメータにより特徴付けられ得る。
【００２９】
制御装置は、上記のように、少なくとも１つの利用変数を検出するように設計される。ここでは、利用変数は、概して、浄化装置の現在の利用を特徴付ける測定可能な量、測定可能な変数または別の検出可能な値を意味すると理解されるよう意図される。前述の値は、概して、少なくとも１つのセンサを用いて測定され得る値、または、たとえばプログラムシーケンスに基づいて、制御装置により能動的に事前に指定される値であってもよい。概して、利用は、ユーザにより現在選択されているプログラム、ユーザによる別の事前仕様、または浄化装置の別の動作モードにより決定される浄化装置の動作の仕方を意味すると理解されるよう意図される。以下においてより詳細に説明するように、利用は、特に１つまたは複数の動作パラメータにより特徴付けられ得る。概して、動作パラメータは、浄化装置の動作または前述の動作の一部を特徴付ける任意の望ましい測定可能または検出可能な変数を意味すると理解されるよう意図される。したがって、少なくとも１つの利用変数は、概して、ユーザにより浄化装置がどのように利用されるかを記述するが、少なくとも１つの動作パラメータは、この利用の技術的実施を記述する。ここでは、利用変数は、特定の方法のユーザによる利用が、１つまたは複数の動作パラメータの設定に自然と影響するため、一般用語として理解されるように意図される。したがって、少なくとも１つの利用変数は、少なくとも１つの動作パラメータを含み得る。しかし、代替として、または追加的に、少なくとも１つの利用変数は、他の情報、たとえば少なくとも１つの動作パラメータから得られる情報、たとえば、浄化装置の正常メンテナンスまたは整備に関する情報、および／または浄化装置内での適切な媒体の使用に関する情報などを含み得る。さらに、少なくとも１つの利用変数は、たとえば、浄化装置に浄化される物品を搭載することに関する情報、および／または浄化装置を通過して浄化される物品のスループットに関する情報も含み得る。さらに、少なくとも１つの利用変数は、浄化装置に明確に割り当てられる識別情報の少なくとも１つの項目も含み得る。たとえば、制御装置は、この種類の情報の一項目を生成し得る。たとえば、固有機械識別子が、少なくとも１つの利用変数の構成部分であり得る。
【００３０】
ここでは、「現在の」利用は、概して、観察時において、または観察期間に亘り、上で特徴付けられた利用を意味すると理解されるよう意図される。たとえば、以下においてより詳細に説明される利用の評価および重み付けは、リアルタイムで行われ得る。代替的に、以下においてより詳細に説明される利用の評価および重み付けは、また、時間をずらして、たとえば事前に指定される期間後に、または実行されている浄化プログラムに続いて、またはたとえば浄化装置のユーザまたはオペレータによる要求があったときに行われてもよい。
【００３１】
制御装置は、上記のように、少なくとも１つの重み付けを少なくとも１つの利用変数に割り当てるように設計される。ここでは、重み付けは、概して、観察期間において、終了時に実際に生成される利用情報に対して、複数の考えられる利用変数の中の特定の利用変数がどのように寄与するかに関する情報の一項目を意味すると理解されるよう意図される。特に、重み付けは、少なくとも１つの重み付け係数であり得る。たとえば、重み付け、または複数の重み付けが使用される場合これらの重み付けのそれぞれは、たとえば、実数値、特に０〜１の実数値となり得る。しかし、原則として他の値、または値の範囲が可能である。これの技術背景は、たとえば、特に、特定の種類の利用、ひいては特定の利用変数は、浄化装置の消耗に、他の種類の利用よりも大きく寄与するということである。消耗の影響を受ける特定の部分が浄化装置内に存在することが分かっている場合、この種類の消耗の影響を受ける部分または、この種類の消耗の影響を受ける複数の部分への負荷を特徴付ける利用変数には、浄化装置への消耗に対しより効果の低い利用変数よりも大きな重み付けが与えられる。
【００３２】
利用変数は、単純であり得るか、または比較的複雑で、経験値に基づき得る。たとえば、浄化装置は、たとえば８５℃の比較的低い温度で穏やかな浄化プログラムを、およびたとえば９５℃の比較的高い温度でより強い浄化プログラムを実行するために、単純な構成のものであり得る。浄化プログラム自体の種類が、利用変数として検出され得るが、たとえば利用変数ｐ＝１が、より穏やかなプログラムに割り当てられ、利用変数ｐ＝２が、より強い浄化プログラムに割り当てられる。利用変数ｐ＝１の重み付けは、たとえば、利用変数ｐ＝２の重み付けの半分であり得るが、たとえばｆ（ｐ＝１）＝０．５およびｆ（ｐ＝２）＝１．０であり得る。たとえば、以下においてより詳細に説明される計数装置において、浄化装置が穏やかな浄化プログラムで動作される利用時間には、０．５の重み付けが与えられ得るし、浄化装置が強い浄化プログラムで操作される利用時間には、１．０の重み付けが与えられ得る。結果として、たとえば、純粋な時間検出を用いてのものよりも、浄化装置の消耗の、より現実的な描写が、観察期間に亘り生成され得る。しかし、この単純な例は、多数の浄化プログラムが存在し得るか、または、たとえば、特定の動作パラメータによりそれぞれ特徴付けられ得る多数の異なる動作モードが存在し得るため、要望に応じてより複雑に作成され得る。ここでは、特に、浄化装置の利用および／または消耗に著しい影響をもたらすと知られている動作パラメータは、利用変数として、または利用変数において検出され、そしてそれに応じて重み付けされ得る。
【００３３】
少なくとも１つの重み付けは、正確に１つの重み付けが、検出された各利用変数に割り当てられるように、少なくとも１つの利用変数に割り当てられ得る。しかし、原則として、たとえば割り当てを共同で受容する利用変数の群として、または１つの利用変数に割り当てられる複数の重み付けとして、他の構成もまた可能である。たとえば、重み付け関数は、たとえば、単位時間を重み付けするための重み付け係数が、複数の利用変数から、この重み付け関数により確認されるように、複数の利用変数の関数として使用され得る。少なくとも１つの利用変数への少なくとも１つの重み付けの割り当ては、事前に指定され得る、たとえば固定して事前に指定され得る、リアルタイムで実行され得る、または、利用の検討の前もしくは後に時間をずらして行われ得る。
【００３４】
少なくとも１つの重み付けは、特に、たとえば対応する制御プログラムにより、少なくとも１つの利用変数に自動的に割り当てられ得る。特に、制御装置は、たとえば少なくとも１つの関数ｆ（ｐ）の形態で、少なくとも１つの重み付けを少なくとも１つの利用変数に割り当てる少なくとも１つのアルゴリズムを含み得る。複数の関数も提供され、それらの中から、たとえば、各場合において、少なくとも１つの、満たされる事前に指定される条件に応じて１つの関数が選択される。代替として、または追加的に、制御装置は、複数の利用変数のための重み付けを含む少なくとも１つの表、たとえば１つの電子表、特に少なくとも１つの早見表を含み得る。この表は、また、たとえば関数であると考えられ得る。上記の単純な例では、重み付けの値ｆ＝０．５は、たとえば利用変数の値ｐ＝１の表に保存され、重み付けｆ＝１．０は、利用変数の値ｐ＝２に対して保存される。しかし、表は、任意の望ましい複雑さで設計され得る。たとえば固定して事前に指定されるコンピュータプログラムの一部として、他の種類の割り当ても可能であり、原則として当業者に知られている。
【００３５】
既に説明したように、制御装置は、少なくとも１つの計数装置をさらに有する。以下においてより詳細に説明されるように、本発明の範囲内では、「計数装置」は、概して、浄化装置の現在の使用を考慮した、浄化装置の使用に関する使用情報の項目を生成するように設計される装置を意味すると理解されるよう意図される。計数装置は、全体的もしくは部分的にハードウェア内で構成され得るか、および／または全体的もしくは部分的にソフトウェアプログラムとして構成され得る。特に、計数装置は、全体的または部分的に制御ソフトウェアのソフトウェアモジュールとして構成され得る。たとえば、計数装置は、プログラミングに関して、ユーザ情報を生成するように設計されるプロセッサ、たとえば制御装置のプロセッサを備え得る。しかし、代替として、または追加的に、計数装置は、全体的もしくは部分的に別個のソフトウェアモジュールとして、または全体的もしくは部分的に別個のハードウェアモジュールとして構成され得る。既に説明したように、制御装置は、単一部品設計または複数部品設計のものであり得るが、それによって、計数装置は、たとえば、制御装置の他の構成部品に接続され得る別個のモジュールとして設計することができ、理論上は制御装置の構成部品として考えらえる。
【００３６】
計数装置は、重み付けで重み付けされる浄化装置の利用時間を累計し、そこから浄化装置の使用に関する使用情報の少なくとも１つの項目を生成するように設計される。ここでは、「利用時間」は、概して、浄化装置が特に少なくとも１つの動作モードで動作させられる微小または有限の期間を意味すると理解されるよう意図される、例として、期間は、浄化装置またはその一部に電気エネルギーが供給され、スイッチがオンにされる、または待機モードである期間であってもよい。ここでは、期間は、動作モードでの動作の合計期間を越えて延長される必要はなく、むしろ、その一部であり得る。特に、利用時間は、それぞれ重み付けされ、合計または積算される小さな時間間隔を含み得る。以下においてより詳細に例を説明する。
【００３７】
ここでは、「累積」は、概して、値の合計または積算を意味すると理解されるよう意図される。特に、合計は、それぞれが少なくとも１つの重み付けで重み付けされる時間間隔の合計であってもよい。代替として、または追加的に、積算、つまり、重み付けされた時間間隔の連続合計も、たとえば、いわゆる重み付けリーマン和の形式で行われ得る。重み付けがｆ＝０．５の穏やかな動作モード、および重み付けがｆ＝１．０のより強い動作モードの前述の単純な例では、累積が、結果Ｓ＝ｃ×（０．５×１００＋１．０×５００）＝ｃ×５５０に導かれることが可能であり、ここでは、たとえば、浄化装置が、穏やかな浄化プログラムで合計１００分間動作させられ、強い浄化プログラムで５００分間動作させられる場合において、ｃは、較正係数を表す。しかし、より著しく複雑な累積もまた可能である。
【００３８】
本発明の範囲内では、「使用情報」は、以下においてはＮとも指定され、概して、浄化装置の使用に関する、たとえば既に説明した累積が行われる観察期間または使用期間に関する情報の項目を意味すると理解されるよう意図される。使用情報は、特に、利用の強度、消耗、適切または不適切な利用、利用の種類からなる群から選択される情報の１つまたは複数の項目を含み得る。使用情報は、たとえば、上述した値Ｓ＝５５０が、使用情報Ｎ（Ｔ）を直接表し得るように、重み付けされた使用時間の前述の累積から直接生成され得る。連続または不連続にさらに累積されるとすると、使用情報は、時間Ｔとともに変化するため、使用情報は、時間の関数である。
【００３９】
代替として、または追加的に、この累積は、アルゴリズムによって、または、たとえば表を用いて使用情報に変換され得る。たとえば、累積と線形に相互関連する架空の「使用単位」が定義され得る。しかし、代替として、または追加的に、１つまたは複数のボーナスＢまたはマルスＭは、たとえば、たとえば整備または自己浄化の際に、累積から使用単位の事前に指定される数ｂが減算されるように、加算または減算され得る（Ｎ＝Ｓ−Ｂ）。このようにして、たとえばこの種類の整備動作または自己浄化動作が、たとえば各自己浄化動作について５使用単位が減算されることによって、認められ得る。ここでは、様々なモデルが、実行可能であり、本発明の範囲内で実施され得る。
【００４０】
使用情報は、特に、たとえば特定の料金、特に料金表に従い、浄化装置の供給元への支払いに直接または間接的に変換され得る。以下においてより詳細に、例に言及する。たとえば、使用情報は、支払いに直接変換され得る、均一料金で変換され得る、または均一料金が減算され得る、クレジットから減じられ得る、クレジットが使用情報などに加えられ得る。しかし、既知の請求方法と対照的に、たとえば、ここでは、利用の強度または使用の規則性、たとえば整備のための自己浄化プログラムの規則的な実行が、請求に含まれ得る。結果として、この種類の穏やかで丁寧な取り扱いが、支払いの減少に対し良い効果を有するため、ユーザ自身が、浄化装置を丁寧に取り扱うように促される。さらに、環境側面もまた、たとえば、環境に良い利用の結果として、環境に悪影響のある利用よりも費用が低下するため、環境に良い行動がユーザにとってよい効果を有するように、重要な役割を果たし得る。原則として様々なモデルが、可能である。
【００４１】
本発明は、特に、実際の利用、そしてまた、実際の浄化装置の消耗を考慮に入れる、より現実的な支払いが提供され得るという点で、機械の供給元に有利である。これは、特に浄化装置がユーザには特定の期間のみ預けられ、その後は別の場所で使用されるように意図される場合に、役割を果たす。従来のモデルでは、ユーザは、処理中に利用の種類および／または強度を考慮することなく、均一料金で、または単にレンタル期間後に、もしくは、代替的に、たとえばサイクル後に請求される。
【００４２】
使用情報は、支払いを計算するため以外に、他の方法で使用され得る。たとえば、整備間隔は、実際の利用に、ひいては提供される使用情報にも適合され得るか、および／または使用情報に基づき選択され得る。たとえば、使用情報は、要求される整備および／または自己浄化に関する情報の項目を出力するために、１つまたは複数の閾値と比較され得る。たとえば、１０００、５０００、１０，０００の使用単位に達した際に、自己浄化が、自動的に実行され得るか、または自己浄化の要求がそれぞれの場合において出力され得る。したがって、自己浄化および／または整備は、実際の利用に適合され得る。そしてこれは、実際の利用を考慮しない間隔の計算の場合には、概して最悪の場合の使用を開始時点として使用する必要があるため、費用面の利点を有し、環境的に互換性のある行動をもたらし得る。
【００４３】
本発明による浄化装置は、様々な方法で有利に発展され得る。既に説明したように、浄化装置は、様々な方法で構成され得る。特に、浄化装置は、食器洗浄機、特に商用食器洗浄機を備え得るが、家庭用の領域における適用も可能である。浄化装置は、特に、単室型食器洗浄機、パススルー型食器洗浄機、フードタイプ食器洗浄機、コンベア食器洗浄機、特にフライトタイプまたはラックコンベア食器洗浄機、特に医療用具を浄化および／または消毒するための浄化および消毒器、個人用保護装置、特に呼吸用マスクを浄化および／または消毒するための浄化装置からなる群から選択され得る。たとえば、本発明による制御装置の特別な特徴以外の、これらの浄化装置の考えられる構成に関して、前述の先行技術を参照し得る。ここに記載される浄化装置は、本発明の範囲内で説明する制御装置の構成により補足され得る。しかし、原則として他の構成もまた可能である。
【００４４】
特に、制御装置は、時間検出モードに従い利用時間を検出するように設計されてもよく、時間検出モードは、連続時間検出動作、離散時間間隔における累積時間検出動作、離散利用サイクルにおける累積時間検出動作からなる群から選択される。したがって、本発明の範囲内では、「時間」という用語は、概して、連続時間、たとえば一日の絶対時間の形式の時間、秒、分、時間、または他の時間単位などの期間を含み得る。時間は、連続的に、または、たとえば５分などの最小の時間単位により、離散間隔で検出され得る。再度、代替として、または追加的に、サイクルもまた、時間の単位として使用されてもよく、必ずしも同じ期間を有する必要はない。しかし、同じ期間の時間の単位が累積されることが好ましい。しかし、原則として他の構成もまた可能である。
【００４５】
既に説明したように、重み付けは、固定的にまたは柔軟に割り当てられ得る。特に、重み付けは、少なくとも１つの割り当てアルゴリズムを用いて、および／または上で例として説明した割り当て表を用いて割り当てられ得る。
【００４６】
利用変数は、特に、制御装置により検出される、浄化装置の少なくとも１つの動作パラメータを含み得るか、または、制御装置により検出される、浄化装置の少なくとも１つの動作パラメータを用いて確認され得る。ここでは、多数の動作パラメータが、代替的または累積的に使用され得る。特に、少なくとも１つの動作パラメータは、少なくとも１つの浄化流体の温度と、媒体の消費水準、特に水または洗剤からなる群から選択される少なくとも１つの媒体の消費水準と、浄化装置の、特に少なくとも１つの加熱器および／または少なくとも１つのポンプ、たとえば循環ポンプの少なくとも１人の消費者のスイッチオン期間と、適用装置の少なくとも１つのノズルアームの回転速度と、少なくとも１つの浄化流体の特性、特に少なくとも１つの浄化流体のｐＨ値および／または硬度、特に浄化流体内に使用される水のｐＨ値および／または硬度と、少なくとも１つの浄化流体の種類および／または少なくとも１つの浄化流体の成分の種類と、浄化装置の少なくとも１つの加熱要素の加熱力と、浄化装置の電気エネルギー摂取量と、少なくとも１つのポンプの回転速度と、ポンプの回転数と、浄化される物品に作用する圧力と、適用装置を用いて噴射される体積流量と、浄化装置の少なくとも１つの扉の扉動作と、浄化装置の少なくとも１つの搬送装置の搬送パラメータ、特に搬送速度と、時間単位ごとの搬送距離と、絶対搬送距離と、浄化される物品の量と、浄化される物品のための搬送ラックの量と、浄化される物品のスループットと、選択される浄化プログラムの種類と、浄化装置の少なくとも１つの流体タンク内の浄化流体の量と、浄化装置の振動と、浄化装置の周囲温度と、浄化装置内で浄化される、少なくとも１つの浄化される物品の種類と、浄化装置内で浄化される、少なくとも１つの浄化される物品の量と、浄化装置内で浄化される、少なくとも１つの浄化される物品の材料と、浄化装置内で浄化される、少なくとも１つの浄化される物品の汚れの程度と、浄化装置の場所と、からなる群から選択され得る。
【００４７】
既に説明したように、少なくとも１つの動作パラメータは、検出され得る、もしくは検出可能であり得る、または事前に指定され得る、もしくは事前に指定される。したがって、動作パラメータは、たとえば、センサを使用して検出され得る少なくとも１つの動作パラメータであり得る。しかし、代替として、または追加的に、動作パラメータは、たとえば１つまたは複数の洗浄プログラムの範囲内で、制御装置自体により事前に指定される少なくとも１つの動作パラメータであってもよく、したがって既知となり得る。再度、代替として、または追加的に、少なくとも１つの動作パラメータは、上記のように、浄化される物品を浄化装置に搭載する少なくとも１つの動作を含んでもよく、浄化される物品の種類、量、材料または汚れの程度から選択される少なくとも１つの動作パラメータが検出され得る。この検出は、再度、センサを用いて、たとえば少なくとも１つの画像センサおよび／またはたとえば少なくとも１つの金属センサなどの少なくとも１つの物質センサを用いて行われ得る。しかし、代替として、または追加的に、浄化される物品は、たとえば、浄化される物品の種類および／または同一性を識別する、たとえば、センサを使用して浄化装置により検出され得る少なくとも１つのＲＦＩＤチップおよび／またはバーコードなどの少なくとも１つの識別子も有し得る。したがって、実際値、および、たとえば、設定値の両方は、動作パラメータとして使用され得る。特に、浄化装置は、少なくとも１つの動作パラメータを検出するために、制御装置に接続される少なくとも１つのセンサを有し得る。たとえばセンサを使用して検出され得る動作パラメータと、事前に指定される動作パラメータとを含む組み合わせを含む任意の望ましい組み合わせが可能であることに留意すべきである。
【００４８】
少なくとも１つの動作パラメータは、たとえば、実際に存在する動作パラメータ、またはたとえば設定値として制御装置により事前に指定される動作パラメータであってもよい。特に、少なくとも１つの動作パラメータは、直接、または動作パラメータを示す制御プログラムまたは浄化プログラムの事前指定の形式のいずれかで、ユーザにより事前に指定され得る。たとえば、制御装置は、少なくとも１つのユーザインターフェースを有し、少なくとも１つのユーザインターフェースを用いて、ユーザは、少なくとも１つの動作パラメータを事前に指定することができ、および／または、たとえば直接、もしくは、たとえば、動作パラメータの特定の値またはプロファイルを示す、対応する浄化プログラムを選択することにより、動作パラメータの値を変更することができる。したがって、制御装置は、たとえばユーザがユーザインターフェースを用いて少なくとも１つの浄化プログラムを選択することを可能にするように設計され得る。
【００４９】
さらに可能な構成は、使用情報の可能な計算に関する。上で例として説明したように、この点に関して多くの様々な選択肢が存在する。特に、累積は、上記のように、連続的にまたは不連続的に行われ得る。たとえば、計数装置は、以下の
【数１】
2020506777.tif 000003
からなる群から選択される、少なくとも１つのアルゴリズムに従い使用情報を判定するように設計され、
ここでは、
・Ｎ（Ｔ）は、時点Ｔにおける使用情報の現在の値、
・ｃは、較正係数、たとえば実数
・Ｔは、使用情報が判定されるように意図される観察時間、
・ｐ1、・・・、ｐnは、浄化装置の利用変数、たとえば動作パラメータ、
・ｆは、少なくとも１つの動作パラメータｐiに依存する重み付け関数、
・ｉは、すべての検出された離散使用間隔に亘る実行変数、および
・Ｂ（Ｔ）は、浄化装置の少なくとも１つのメンテナンス処理の少なくとも１つの実績を考慮するボーナス関数
である。
【００５０】
既に説明したように、他の利用変数は、動作パラメータの代わりに、または動作パラメータに追加して使用され得る。１つまたは複数の動作パラメータおよび／または利用変数は、ｎ＝１またはｎ＞１となり得るように、使用され得る。
【００５１】
単一の利用変数ｐの場合、単純な関数または表が、重み付けを判定するために、重み付け関数として使用され得る。複数の利用変数ｐが提供される場合、より複雑な表、または多次元関数が使用され得る。特に単純な選択肢は、利用変数の線形結合の形式の少なくとも１つの重み付け関数を形成することである。したがって、たとえば、重み付け関数は、重み付け係数ｂjで重み付けされる少なくとも２つの利用変数、たとえば動作パラメータの線形結合であり得る。
【数２】
2020506777.tif 000004
【００５２】
既に説明したように、少なくとも１つの利用変数は、任意の望ましい方法で浄化装置の利用を特徴付けることができる。特に、少なくとも１つの利用変数、または複数の利用変数の場合、利用変数のうちの少なくとも１つは、また、浄化装置の少なくとも１つの使用可能寿命および／または少なくとも１つの待機時間を検出するようにも設計され得る。したがって、たとえば、原則として浄化装置の電子部品を負荷および消耗に曝すこれらの時間は、通常動作の場合の重み付け１．０と比較して、たとえば低度の重み付け、たとえば０．２の重み付けで、共同で検出および連結され得る。したがって、穏やかな浄化プログラムおよび強い浄化プログラムの単純な前述の例では、たとえば第１の利用変数ｐ1は、穏やかな浄化プログラム（ｐ1＝１）が実行されているのか、または強い浄化プログラム（ｐ1＝２）が実行されているのかを特徴付けることができ、第２の利用変数ｐ2は、待機モード（ｐ2＝１）が優勢であるか、または洗浄動作（ｐ2＝２）が優勢であるかを特徴付けることができる。したがって、たとえば、重み付け関数ｆは、以下の通り、時間間隔ｄｔまたはΔｔに対し以下のように設計され得る。
【数３】
2020506777.tif 000005
そして時間間隔が、累積において対応する方法で重み付けされる。他のより複雑な選択肢も提供される。
【００５３】
既に説明したように、浄化装置のメンテナンス処置、特にユーザにより開始されるメンテナンス処置もまた、本発明を用いて認められ得る。メンテナンス処置は、たとえば、浄化装置の自己浄化プログラムおよび／または整備もしくは浄化の形式のメンテナンス処置であってもよい。たとえば、制御装置は、少なくとも１つのメンテナンス処理の実績を検出するように設計されてもよく、計数装置は、使用情報を生成する際にメンテナンス処理を考慮するように設計される。制御装置は、特に、使用情報において通常使用に対して反対の数学記号を用いてメンテナンス処理を考慮するように設計され得る。上記のように、これは、たとえば、累積値から減算されるボーナスの形式であり得る。ボーナスは、たとえば、固定的に事前に指定され得るか、または、様々な方法で、たとえば、メンテナンス処理の強度および／または期間に従い判定され得る。たとえば、様々なメンテナンス処理および対応するボーナスの表もまた、事前に指定され得る。メンテナンス処理は、特に、自己浄化サイクル、メンテナンス媒体、特に水軟化剤および／またはスケール除去剤の使用、定期的浄化動作、浄化装置の整備動作からなる群から選択される少なくとも１つの要素を含み得る。しかし、原則として他の構成もまた可能である。
【００５４】
本発明のさらなる態様では、上述の構成のうちの１つもしくは複数、および／または以下においてより詳細に説明する構成のうちの１つもしくは複数による浄化装置は、浄化システムの構成部分として使用され得る。ここでは、システムは、概して、複数の相互にかかわりあう構成要素で構成される装置を意味すると理解されるよう意図される。構成要素は、たとえば、１つまたは複数のインターフェースを介して互いに通信し、このようにして相互作用および協同し得る。それに応じて、浄化システムは、上記定義の意味の範囲内において少なくとも１つの浄化処理を実行するように設計されるシステムを意味すると理解されるよう意図される。
【００５５】
したがって、本発明の第２の態様は、浄化される物品を浄化するための浄化システムであって、本発明による少なくとも１つの浄化装置を備え、少なくとも１つの読み取り装置をさらに備え、読み取り装置は、浄化装置から使用情報を読み出すように設計される、浄化システムを提案する。
【００５６】
読み取り装置は、概して、別の装置からの情報の少なくとも１つの項目を読み出し、および／またはこの種類の情報を受信するように設計される装置を意味すると理解される。読み出し動作は、たとえば読み取り装置が情報を要求することによって、または要求なしで読み取り装置に情報が転送されることによって、能動的または受動的となり得る。読み取り装置は、特に、浄化システムから分離して設計され、少なくとも１つのインターフェースを介して浄化装置に接続され得る。たとえば、少なくとも１つのインターフェースは、無線インターフェース、有線インターフェース、電気的インターフェース、光学的インターフェース、聴覚的インターフェース、電磁気インターフェースからなる群から選択され得る。原則として、様々な構成が実行可能であり、当業者に知られている。
【００５７】
読み取り装置は、様々な方法で構成および／または使用され得る。読み取り装置は、たとえば携帯用機器であってもよい。この携帯用機器は、浄化装置から使用情報を現場で読み出すために、たとえば、整備技術者によって、または外交販売員によって運搬され得る。整備技術者は、上記のように、たとえば、この情報を使用して、整備が必要であるかどうかを識別し、可能であれば必要とされる整備の形式および／または強度を識別することができる。外交販売員は、たとえば、使用情報を使用して利用料を計算することができる。したがって、読み取り装置は、たとえば、少なくとも１つの費用計算装置をさらに有し得るが、その少なくとも１つの費用計算装置は、使用料とも呼称される少なくとも１つの利用料を、読み出された使用情報に割り当てるように設計される。既に説明したように、これは、たとえば、料金表の形式で、または別の方法で行われ得る。しかし、携帯用機器としての構成の代替として、または追加して、読み取り装置は、また、全体的または部分的に別の方法で、たとえばコンピュータとして、たとえばネットワーク内に組み込まれ、ネットワークを介して浄化装置に接続され、使用情報を読み出すことができるコンピュータとして構成され得る。再度、代替として、または追加的に、読み取り装置は、携帯通信機器として、たとえばスマートフォンとしても構成され得る。
【００５８】
本発明のさらなる態様は、浄化装置を動作させる方法を提案する。ここでは、浄化装置は、特に、本発明に従い構成され得るので、たとえば、本発明による浄化装置の上記説明およびそこから可能となる構成の選択肢を、または可能な例示的実施形態の以下に続く説明を参照することができ、そしてその逆であってもよい。しかし、原則として他の構成もまた可能である。方法は、以下においてより詳細に説明する方法ステップを含む。これらの方法ステップは、特に、述べられる順序で実行され得る。しかし、原則として別の順序もまた可能である。さらに、方法ステップの１つ、いくつか、またはすべては、単独で、または個別に、またはグループごとに、繰り返されて実行され得る。さらに、２つ以上の方法ステップは、時間に関して重なって、または並行して実行され得る。さらに、方法ステップの１つ、いくつか、またはすべては、連続して実行され得る。
【００５９】
概して、方法は、浄化される物品を浄化するために浄化装置を動作させる役割を果たし、浄化装置は、少なくとも１つの浄化室と、浄化室内で浄化される物品に少なくとも１つの浄化流体を適用するための少なくとも１つの適用装置とを有する。方法は、以下の、
ａ）浄化装置の少なくとも１つの利用変数を検出するステップであって、利用変数が、浄化装置の現在の利用を特徴付ける、ステップと、
ｂ）少なくとも１つの重み付けを少なくとも１つの利用変数に割り当てるステップと、
ｃ）重み付けで重み付けされた、浄化装置の利用時間の累積から、浄化装置の使用に関する使用情報の少なくとも１つの項目を生成するステップと
を含む。
【００６０】
既に説明したように、特に、本発明による浄化装置が使用され得る。したがって、考えられる構成および定義に関して上記説明が参照され得る。
【００６１】
特に、方法ステップａ）およびｂ）は、繰り返し実行され得る。したがって、特に、方法ステップａ）およびｂ）は、連続的に、定期的に、または事前に指定される時間に実行され得る。しかし、原則として他の構成もまた可能である。
【００６２】
提案する方法は、少なくとも１つのコンピュータを用いて、特に容易に実施され得る。制御装置は、上記のように、特に少なくとも１つのデータ処理装置、特に少なくとも１つのコンピュータを含み得るので、このコンピュータは、特に、浄化装置の少なくとも１つの制御装置内に含まれ得る。特に、方法ステップａ）〜ｃ）は、なくとも１つのコンピュータまたはコンピュータプログラムを使用して実行され得る。
【００６３】
それに応じて、本発明は、コンピュータ可読データ構造をさらに提案し、コンピュータ可読データ構造は、コンピュータまたはコンピュータネットワーク、特に、浄化装置の制御装置のコンピュータまたはコンピュータネットワーク上で実行される場合、上述した構成のうちの１つにおける本発明による方法を実行するように設計される。コンピュータ可読データ構造は、特に、少なくとも１つのデータキャリアに保存され得る。本発明は、上述した構成のうちの１つにおける本発明による方法を実行するためのプログラムコードを含むコンピュータプログラムをさらに提案し、方法は、コンピュータプログラムが、コンピュータまたはコンピュータネットワーク上で、たとえば浄化装置の制御装置上で実行される場合、実行される。本発明は、プログラムコード手段を備えるコンピュータプログラム製品をさらに提案し、プログラムコード手段は、記憶媒体に保存され、または保存可能であってもよく、プログラムコード手段は、コンピュータまたはコンピュータネットワーク上で、特に浄化装置の制御装置上で実行される場合、先行する方法クレームの１つに記載される方法を実行するように設計される。
【００６４】
さらなる態様は、浄化装置の利用料の使用依存計算のための、上述した構成のうちの１つもしくは複数、または以下においてより詳細に説明する構成のうちの１つまたは複数における、本発明による浄化装置の使用を提案する。
【００６５】
要約すると、本発明の範囲内において以下の実施形態が特に好ましい。
【００６６】
実施形態１：浄化される物品を浄化するための浄化装置であって、少なくとも１つの浄化室と、浄化室内で浄化される物品に少なくとも１つの浄化流体を適用するための少なくとも１つの適用装置とを備え、少なくとも１つの制御装置をさらに備え、制御装置は、少なくとも２つの動作モードを実行するために、浄化装置を作動させるように設計され、制御装置は、少なくとも１つの利用変数を検出するようにさらに設計され、利用変数は、浄化装置の現在の利用を特徴付け、制御装置は、少なくとも１つの重み付けを、少なくとも１つの利用変数に割り当てるようにさらに設計され、制御装置は、少なくとも１つの計数装置をさらに有し、計数装置は、重み付けで重み付けされる浄化装置の利用時間を累計し、それから浄化装置の使用に関する使用情報の少なくとも１つの項目を生成するように設計される、浄化装置。
【００６７】
実施形態２：浄化装置は、単室型食器洗浄機、特に商用単室型食器洗浄機、パススルー型食器洗浄機、フードタイプ食器洗浄機、コンベア食器洗浄機、特にフライトタイプまたはラックコンベア食器洗浄機、特に、医療用具を浄化および／または消毒するための浄化および消毒器、個人用保護装置、特に呼吸用マスクを浄化および／または消毒するための浄化装置からなる群から選択される、実施形態１記載の浄化装置。
【００６８】
実施形態３：制御装置は、時間検出モードに従い利用時間を検出するように設計され、時間検出モードは、連続時間検出動作、離散時間間隔における累積時間検出動作、離散利用サイクルにおける累積時間検出動作からなる群から選択される、実施形態１または２記載の浄化装置。
【００６９】
実施形態４：制御装置は、少なくとも１つの割り当てアルゴリズムを用いて、および／または少なくとも１つの割り当て表を用いて、重み付けの割り当てを実行するように設計される、実施形態１〜３のいずれか１つに記載の浄化装置。
【００７０】
実施形態５：利用変数は、制御装置により検出される、浄化装置の少なくとも１つの動作パラメータを含むか、または、制御装置により検出される、浄化装置の少なくとも１つの動作パラメータを用いて確認される、実施形態１〜４のいずれか１つに記載の浄化装置。
【００７１】
実施形態６：少なくとも１つの動作パラメータは、少なくとも１つの浄化流体の温度と、媒体の消費水準、特に水または洗剤からなる群から選択される少なくとも１つの媒体の消費水準と、浄化装置、特に少なくとも１つの加熱器および／または少なくとも１つのポンプ、たとえば循環ポンプの少なくとも１人の消費者のスイッチオン期間と、適用装置の少なくとも１つのノズルアームの回転速度と、少なくとも１つの浄化流体の特性、特に少なくとも１つの浄化流体のｐＨ値および／または硬度、特に浄化流体内に使用される水のｐＨ値および／または硬度と、少なくとも１つの浄化流体の種類および／または少なくとも１つの浄化流体の成分の種類と、浄化装置の少なくとも１つの加熱要素の加熱力と、浄化装置の電気エネルギー摂取量と、少なくとも１つのポンプの回転速度と、ポンプの回転数と、浄化される物品に作用する圧力と、適用装置を用いて噴射される体積流量と、浄化装置の少なくとも１つの扉の扉動作と、浄化装置の少なくとも１つの搬送装置の搬送パラメータ、特に搬送速度と、時間単位ごとの搬送距離と、絶対搬送距離と、浄化される物品の量と、浄化される物品のための搬送ラックの量と、浄化される物品のスループットと、選択される浄化プログラムの種類と、浄化装置の少なくとも１つの流体タンク内の浄化流体の量と、浄化装置の振動と、浄化装置の周囲温度と、浄化装置内で浄化される、少なくとも１つの浄化される物品の種類と、浄化装置内で浄化される、少なくとも１つの浄化される物品の量と、浄化装置内で浄化される、少なくとも１つの浄化される物品の材料と、浄化装置内で浄化される、少なくとも１つの浄化される物品の汚れの程度と、浄化装置の場所と、からなる群から選択される、実施形態５記載の浄化装置。
【００７２】
実施形態７：浄化装置は、少なくとも１つの動作パラメータを検出するために、制御装置に接続される少なくとも１つのセンサを有する、実施形態５または６記載の浄化装置。
【００７３】
実施形態８：制御装置は、少なくとも１つのユーザインターフェースを有し、少なくとも１つのユーザインターフェースを用いて、ユーザは、少なくとも１つの動作パラメータを変更することができる、実施形態５〜７のいずれか１つに記載の浄化装置。
【００７４】
実施形態９：制御装置は、ユーザが、ユーザインターフェースを用いて少なくとも１つの浄化プログラムを選択することを可能にするように設計される、実施形態８記載の浄化装置。
【００７５】
実施形態１０：計数装置は、
【数４】
2020506777.tif 000006
からなる群から選択される少なくとも１つのアルゴリズムに従い使用情報を判定するように設計され、
ここでは、
Ｎ（Ｔ）は、時間Ｔにおける使用情報の現在の値、
ｃは、較正係数、
Ｔは、使用情報が判定されることが意図される観察時間、
ｐ1、・・・、ｐnは、浄化装置の利用変数、
ｆは、少なくとも１つの利用変数ｐiに依存する重み付け関数、
ｉは、すべての検出された離散使用間隔に亘る実行変数、および
Ｂ（Ｔ）は、浄化装置の少なくとも１つのメンテナンス処理の少なくとも１つの実績を考慮するボーナス関数、
である、
実施形態１〜９のいずれか１つに記載の浄化装置。
【００７６】
実施形態１１：重み付け関数は、重み付け係数ｂjで重み付けされる少なくとも２つの利用変数の線形結合
【数５】
2020506777.tif 000007
である実施形態１０記載の浄化装置。
【００７７】
実施形態１２：制御装置は、少なくとも１つの利用変数が、浄化装置の少なくとも１つの使用可能寿命および／または少なくとも１つの待機時間を含むようにさらに設計される、実施形態１〜１１のいずれか１つに記載の浄化装置。
【００７８】
実施形態１３：制御装置は、少なくとも１つのメンテナンス処理の実績を検出するようにさらに設計され、計数装置は、使用情報を生成する際に、メンテナンス処理を考慮するように設計される、実施形態１〜１２のいずれか１つに記載の浄化装置。
【００７９】
実施形態１４：制御装置は、使用情報の通常使用に対して反対の数学記号を用いてメンテナンス処理を考慮するように設計される、実施形態１３記載の浄化装置。
【００８０】
実施形態１５：メンテナンス処理は、自己浄化サイクル、メンテナンス媒体、特に水軟化剤および／またはスケール除去剤の使用、定期的浄化動作、浄化装置の整備動作からなる群から選択される少なくとも１つの要素を含む、実施形態１３または１４記載の浄化装置。
【００８１】
実施形態１６：浄化される物品を浄化するための浄化システムであって、実施形態１〜１５のいずれか１つに記載の少なくとも１つの浄化装置を備え、少なくとも１つの読み取り装置をさらに備え、読み取り装置は、浄化装置から使用情報を読み出すように設計される、浄化システム。
【００８２】
実施形態１７：読み取り装置は、浄化システムから分離して設計され、少なくとも１つのインターフェースを介して浄化装置に接続され得る、実施形態１６記載の浄化システム。
【００８３】
実施形態１８：読み取り装置は、少なくとも１つの費用計算装置をさらに有し、費用計算装置は、少なくとも１つの使用料を、読み出された使用情報に割り当てるように設計される、実施形態１６または１７記載の浄化システム。
【００８４】
実施形態１９：浄化される物品を浄化するために浄化装置を動作させるための方法であって、
浄化装置は、少なくとも１つの浄化室と、浄化室内で浄化される物品に少なくとも１つの浄化流体を適用するための少なくとも１つの適用装置とを有し、
方法は、以下の、
ａ）浄化装置の少なくとも１つの利用変数を検出するステップであって、利用変数が、浄化装置の現在の利用を特徴付ける、ステップと、
ｂ）少なくとも１つの重み付けを少なくとも１つの利用変数に割り当てるステップと、
ｃ）重み付けで重み付けされた、浄化装置の利用時間の累積から、浄化装置の使用に関する使用情報の少なくとも１つの項目を生成するステップと
を含む、方法。
【００８５】
実施形態２０：実施形態１〜１５のいずれか１つに記載の浄化装置が使用される、実施形態１９記載の方法。
【００８６】
実施形態２１：方法ステップａ）およびｂ）が、繰り返し実行される、実施形態１９または２０記載の方法。
【００８７】
実施形態２２：方法ステップａ）およびｂ）は、連続的に、定期的に、または事前に指定される時間に実行される、実施形態２１記載の方法。
【００８８】
実施形態２３：方法ステップａ）〜ｃ）は、少なくとも１つのコンピュータまたはコンピュータプログラムを使用して実行される、実施形態１９〜２２のいずれか１つに記載の方法。
【００８９】
実施形態２４：コンピュータ可読データ構造であって、コンピュータ可読データ構造がコンピュータまたはコンピュータネットワークにより実行される場合、実施形態１９〜２３のいずれか１つに記載の方法を実行するように設計されるコンピュータ可読データ構造。
【００９０】
実施形態２５：コンピュータ可読データ構造が、少なくとも１つのデータキャリアに保存される、実施形態２４記載のコンピュータ可読データ構造。
【００９１】
実施形態２６：コンピュータプログラムであって、コンピュータプログラムがコンピュータまたはコンピュータネットワーク上で実行される場合、実施形態１９〜２３のいずれか１つに記載の方法を実行するためのプログラムコードを含むコンピュータプログラム。
【００９２】
実施形態２７：プログラムコード手段を含むコンピュータプログラム製品であって、プログラムコード手段は、記憶媒体に保存されるか、または保存可能であり、プログラムコード手段は、コンピュータまたはコンピュータネットワーク上で実行される場合、実施形態１９〜２３のいずれか１つに記載の方法を実行するように設計される、コンピュータプログラム製品。
【００９３】
実施形態２８：実施形態１〜１５のいずれか１つに記載の浄化装置の使用であって、浄化装置の利用料の使用依存計算のための浄化装置の使用。
【００９４】
本発明のさらなる詳細および特徴を、好ましい例示的実施形態の説明において、特に従属請求項と併せて、みることができる。これに関連して、特定の特徴は、単独で、または互いに組み合されて別々に実施されてもよい。本発明は、例示的実施形態に限定されない。図面にて、例示的実施形態が概略的に示される。個々の図面中の同一の参照符号は、同一の要素もしくは同一の機能を備える要素、または、それらの機能に関して互いに対応する要素を参照する。
【図面の簡単な説明】
【００９５】
【図１】単室型食器洗浄機の形態の浄化装置の例示的実施形態、および浄化システムの例示的実施形態を示す。
【図２】浄化装置を動作させるための方法の例示的実施形態のフローチャートである。
【図３】パススルー型食器洗浄機の形態の浄化装置の例示的実施形態、および浄化システムのさらなる例示的実施形態を示す。
【発明を実施するための形態】
【００９６】
図１および３は、本発明による浄化装置１１０の例示的実施形態を図示する。図１による例示的実施形態では、浄化装置は、単室型食器洗浄機１１２であるが、コンベヤ食器洗浄機とも呼称されるパススルー型食器洗浄機３１２が、図３による例示的実施形態において図示される。これらは単に、考えられる浄化装置１１０の例であることに留意すべきである。代替として、または追加的に、他の浄化装置、たとえば食器以外の種類の洗浄物のための浄化および消毒機器または浄化装置が考慮される。
【００９７】
図１の浄化装置１１０は、特に、商用単室型食器洗浄機として構成され得る。しかし、原則として、家庭用食器洗浄機としての構成もまた、可能である。例として、この種類の単室型食器洗浄機１１２の考えられる構成の例として、独国特許発明第１０２００８０１５７９６号明細書を参照し得る。しかし、他の構成も可能である。
【００９８】
浄化装置１１０は、少なくとも１つの浄化室１１４を有する。浄化流体１１８が、浄化室１１４内の浄化される物品１１６、特に食器に適用される。例示的実施形態においては流体装置とも呼称され得る、１つまたは複数の適用装置１２０が、この適用動作のために提供される。これらの適用装置１２０は、例として、洗浄ノズルシステム１２２およびリンスノズルシステム１２４を備え得る。適用装置１２０は、たとえば、適用装置１２０のスプレーアーム１２５内、たとえば回転スプレーアーム１２５内に配置され得る複数のノズル１２３を備える。ノズルシステム１２２、１２４は、たとえば、浄化室１１４内において、浄化される物品１１６が収容されるラック１２６の上方および／または下方に配置され得る。浄化室１１４には、たとえば、扉１２８、たとえばフロントハッチを介して、浄化される物品１１６が搭載され得る。
【００９９】
ノズルシステム１２２には、たとえば、浄化室１１４の底部領域に位置し得る洗浄タンク１３６から、たとえば洗浄ライン１３０、洗浄ポンプ１３２を介して、および三方弁１３４を介して、浄化流体１１８、たとえば洗剤液が供給され得る。リンスタンク１４４からの浄化流体１１８、たとえば最終リンス助剤溶液の形態のリンス流体が、たとえば、リンスライン１３８、リンスバルブ１４０およびリンスポンプ１４２を介して、任意のリンスノズルシステム１２４に適用され得る。リンスタンク１４４には、真水供給ライン１４６により、たとえば、真水が供給され得る。さらに、浄化装置１１０は、排出ライン１４８を有し得るが、排出ライン１４８は、たとえば、三方弁１３４により洗浄タンク１３６に接続され、任意に排出ポンプ１５０を有し、任意に出口１５２に接続され得る。
【０１００】
浄化装置１１０は、少なくとも１つの浄化流体１１８の温度を制御するための、少なくとも１つの温度制御装置１５３をさらに有し得る。さらに、加熱装置１１０は、リンスタンク１４４内に、そこに収容されるリンス液の形態の浄化流体１１８を加熱するための、追加の加熱要素１５６を有し得る。たとえば、リンスタンク１４４は、ボイラとして構成され得る、および／または流体加熱器を有し得る。
【０１０１】
たとえば、少なくとも１つの浄化プログラムが、たとえば、箱型食器洗浄機として構成され得る浄化装置１１０において実行され得る。この目的のため、たとえば、少なくとも１つの制御装置１５７が提供され、少なくとも１つの制御装置１５７によってプログラムシーケンスが制御され得る。浄化プログラムでは、第１プログラムステップが実行され得るが、たとえば、第１プログラムステップにおいて、浄化される物品１１６が、洗浄タンク１３６からの液体を用いて洗浄される。この洗浄は、たとえば、循環モードにて、循環ポンプとも呼称され得る洗浄ポンプ１３２により実行され得る。洗浄液は、排出ポンプ１５０および三方弁１３４を介して、部分的にまたは完全に洗浄タンク１３６から排出され得る。洗浄ステップと並行して、前もって、リンスタンク１４４内でリンス流体が、準備、たとえば加熱され得る。洗浄ステップに続く追加のプログラムステップにて、浄化される物品１１６は次に、リンスタンク１４４からの浄化流体を用いたリンスまたは最終リンスを受けることができるが、これは、単一の動作で、または任意で、循環モードにて同様に行うことが可能である。浄化プログラムが終結され得る前に、１つまたは複数の追加のプログラムステップが、たとえば１つまたは複数の乾燥ステップに続き得る。
【０１０２】
制御装置１５７は、たとえば、少なくとも１つのプロセッサ１５８および少なくとも１つのデータメモリ１６０を備え得る。制御装置１５７は、たとえばデータおよび／または制御コマンドの無線または有線の交換のための、少なくとも１つのユーザインターフェース１６２および／または少なくとも１つのデータインターフェース１６４をさらに有し得る。制御装置１５７は、特に、浄化装置１１０を少なくとも２つの動作モードで作動させるように設計される。動作モードは、たとえば、２つ以上の浄化プログラムであってもよい。浄化プログラムは、たとえば、ユーザインターフェース１６２を介して、ユーザにより選択されてもよい。しかし、代替として、または追加的に、ユーザは、たとえば、ユーザインターフェース１６２を介して特定の動作パラメータを直接調節するなど、さらなる詳細も選択し得る。
【０１０３】
浄化装置１１０は、たとえば、動作パラメータを検出するための複数のセンサをさらに有する。たとえば、これらのセンサは、洗浄タンク１３６内の温度センサ１６６を、また、リンスタンク１４４内の温度センサ１６８を備え得る。さらに、制御装置１５７は、また、動作パラメータ、たとえばポンプ１３２、１４２および１５０のポンプ回転速度、ポンプ１３２、１４２および１５０のポンプ回転速度、バルブ１３４、１４０のバルブ位置、および加熱要素１５４、１５６の加熱力を別の方法で検出するように設計され得る。代替として、または追加的に、他の動作パラメータは、たとえば圧力センサ、体積流量センサもしくは類似のセンサ、または制御情報の一項目により検出され得る。
【０１０４】
制御装置１５７は、それに応じて、少なくとも１つの利用変数を検出するように設計され、少なくとも１つの利用変数は、たとえば、少なくとも１つの動作パラメータを含み得る。しかし、代替として、または追加的に、少なくとも１つの利用変数は、他の種類の情報、たとえばユーザが、どの洗浄プログラムを選択したか、も含み得る。少なくとも１つの利用変数は、浄化装置１１０の現在の利用を特徴付ける。制御装置１５７は、少なくとも１つの利用変数に、少なくとも１つの重み付けを割り当てるように設計される。制御装置１５７は、この場合、たとえばプロセッサ１５８およびデータメモリ１６０を備え得る計数装置１７０をさらに有する。計数装置は、たとえばプログラミングの点から、重み付けにより重み付けされる浄化装置１１０の利用時間を累計し、そこから浄化装置の使用に関する使用情報の少なくとも１つの項目を生成するように設計される。図２の、浄化装置１１０を動作させるための可能な方法のフローチャートを例として参照してこれを説明する。
【０１０５】
方法では、開始２１０の後に、現在の、既に累計されている利用変数Ｎ（ｔ0）の値が、データメモリ１６０から読み出される。したがって、この方法の開始時間ｔは、ｔ＝ｔ0に設定され、この方法の今回の実行の開始時の利用変数は、Ｎ（ｔ）＝Ｎ（ｔ0）に設定される。この方法ステップ２１２は、複数の方法シーケンス全体に亘り累計される値である利用変数Ｎの値が生成され得るように、方法の以前の実行にて累計された値が再度使用されることを可能にするように機能する。しかし、整備担当者は、また、たとえば、データメモリ１６０内の値Ｎをリセットするか、または前述の値を所定の開始値に調節することが可能である。
【０１０６】
次に、ステップ２１２において、メンテナンス処理が現在実行されているかどうかに関するクエリが作成される。このクエリは、たとえば、制御装置１５７の情報の対応する項目として、たとえば、ユーザがメンテナンスプログラムまたは別の浄化プログラムを設定したかどうかとして回答され得る。メンテナンスプログラムが実行される場合（方法ステップ２１６）、ボーナスＢが、現在の値Ｎ（ｔ0）から減算され、方法ステップ２２８において、現在の値Ｎ＝Ｎ（ｔ0）−Ｂが、データメモリ１６０に書き込まれる。そしてプログラムが終了される。対照的に、メンテナンスプログラムが実行されない場合、１つまたは複数の利用変数の検出は、方法ステップ２１８にて実行される。例として、利用変数には、ｐ1、・・・、ｐnが指定される。方法ステップ２２０において、重み付けは、これらの利用変数に割り当てられる。これを、例として表１を参照して示す。
【０１０７】
【表１】
2020506777.tif 000008
【０１０８】
この表１は、例として、利用変数として使用される２つの動作パラメータ、特に、洗浄タンク１３６内の加熱要素１５４の加熱力ｐ1、およびリンスタンク１４４内の追加の加熱要素１５６の加熱力ｐ2を含む。しかし、より著しく複雑な割り当てが、多次元表により可能であることに留意すべきである。この例示的実施形態では、たとえば加熱要素１５４の加熱力は、プログラミングにより、２．０ｋＷ、２．５ｋＷおよび３．０ｋＷの値に設定することができ、加熱力ｐ2は、３．０ｋＷおよび６．０ｋＷの値に設定することができる。これらの可能な組み合わせのそれぞれに割り当てられる重み付けｆの値を、表に示す。ここからわかるように、重み付けは、利用変数の、最終的に所望される値に応じて、次元で提供され得るか、または、原則として、無次元となり得る。この場合、次に、以下においてより詳細に説明するように、分で示される時間単位の乗算が行われるため、重み付けは、たとえば、単位／分で示される。
【０１０９】
表１による割り当ては、浄化装置１１０の実際の利用、たとえば実際の負荷を表す、いくつかの可能な割り当てのうちの１つに過ぎない。たとえば、加熱力の形態の動作パラメータｐ1、ｐ2に加え、たとえばリンスポンプ１４２のポンプ回転速度（回転／分）は、利用変数ｐ3として検出され、リンスタンク１４４内の温度センサ１６８により検出される温度（℃）は、利用変数ｐ4として検出され、割り当てもまた、たとえば、以下の種類の割り当てアルゴリズムにより実行され得る。
【数６】
2020506777.tif 000009
わかるように、この場合においても、確認された重み付けは、最終的に、時間／分の単位を有する。
【０１１０】
計数装置１７０により実行され得る方法ステップ２２０に続き、方法ステップ２２２にて、利用変数Ｎは、ｔ0とｔ0＋Δｔとの間の期間、たとえば、
【数７】
2020506777.tif 000010
の式に従い、増分される。ここでは、ｃは、任意に追加で組み込まれ得る較正係数を示している。Ｎのこの新しい値は、たとえば、依然として同様にステップ２２２にて、たとえば、データメモリ１６０に記憶され得るので、次のプログラム実行および次のプログラムループが、たとえば、この増分値で既に実行され得る。そして、ステップ２２４にて、待機期間Δｔが存在する。期間Δｔは、たとえばプログラムシーケンスに応じて固定され得るか、または柔軟であり得る。たとえば、期間Δｔは、０．５または１分の期間となり得る。他の値も可能である。
【０１１１】
そして、ステップ２２６にて、プログラムが終了されているかどうかに関するクエリが作成される。この場合、ステップ２２８にて、再度、使用情報の現在の値Ｎが、データメモリ１６０に書き込まれる。そうでない場合、プログラムは、たとえば現在の値Ｎ（ｔ）を開始値として、ステップ２１８に戻り、利用変数を再度検出し得る。この方法で、浄化装置１１０の実際の負荷を考慮に入れる累計使用が、浄化装置の動作に亘り、この単純なプログラムにより検出される。図示したシーケンスは、実際には、著しくより複雑となり得るシーケンスの例を表すに過ぎないことを留意すべきである。
【０１１２】
同時に、図１は、また、浄化システム１７２の例示的実施形態を図示する。この浄化システム１７２は、浄化装置１１０に加えて、浄化装置１１０から、特に制御装置１５７から使用情報を読み取るように設計される少なくとも１つの読み取り装置１７４をさらに備える。この目的のため、読み取り装置１７４は、たとえば、浄化装置１１０のデータインターフェース１６４と通信し得る少なくとも１つのインターフェース１７６を備え得る。さらに、読み取り装置１７４は、様々な種類のユーザインターフェース１７８を備え得る。さらに、読み取り装置１７４は、たとえば、再度、プロセッサ１８２の構成要素として、および／またはプロセッサ１８２上で実行され得るソフトウェアプログラムとして、少なくとも１つの費用計算装置１８０をさらに備え得る。費用計算装置１８０は、少なくとも１つの使用料を、読み出された使用情報に割り当てるように設計される。しかし、代替として、読み取り装置１７４は、単純に、たとえば整備担当者により利用変数を読み出すために、そして、たとえば供給元に戻ったときに、使用情報から使用料を計算するため、または使用情報を別の方法、たとえば実際の使用に基づき整備間隔を判定するために利用するように、設計され得る。
【０１１３】
浄化システム１７２のこの例示的実施形態では、読み取り装置１７４は、例として、携帯用機器として構成され得る。しかし、これは必須ではないことに留意すべきである。したがって、読み取り装置１７４は、たとえば、コンピュータネットワークを介して浄化装置１１０に接続されるコンピュータであってもよく、それによって、たとえば利用情報が読み出され得る。さまざまな構成が実行可能である。
【０１１４】
利用変数およびその割り当てを検出する既に説明した例は、任意の望ましい複雑さで構成され得る。構成のさらなる選択肢は、たとえば、追加のセンサとしてＧＰＳ装置１８４を備える浄化装置１１０を含む。このＧＰＳ装置１８４は、たとえば、浄化装置１１０の場所を判定し得る。この種類の情報は、また、利用の対象となり得る。したがって、特に図１に示される単室型食器洗浄機１１２は、たとえば、容易に搬送され得る。しかし、それぞれのユーザに対し、使用料の計算のために異なる料金が適用され得る。たとえば、これは、追加の利用変数として検出される場所により、および、たとえば設置場所に応じて方法ステップ２２０にて別様に割り当てられる重み付けにより、考慮され得る。たとえば、場所が、料金係数もしくは料金表により、割り当てに組み込まれ得るか、または代替として、設置場所に応じて、異なる公式および／または異なる表が、使用され得る。
【０１１５】
浄化装置１１０は、例として図１において、単室型食器洗浄機１１２として構成される。しかし、これは、図３を参照して例として説明するように、必須ではない。したがって、代替として、または追加的に、たとえば医療分野のための他の種類の浄化装置、または大型の食器洗浄機が、本発明に従い構成され得る。次に、図３は、浄化装置１１０および浄化システム１７２の例の断面図を示す。
【０１１６】
図３では、浄化装置１１０は、パススルー型食器洗浄機３１２として構成され、搬送装置３１４を有し、搬送装置３１４を用いて、浄化される物品１１６、たとえば食器が、浄化装置１１０の浄化室１１４を通過して搬送され得る。たとえば、浄化装置１１０は、ラックコンベア洗浄機として構成され、搬送ラック３１６内の浄化される物品１１６を搬送するように設計され得るか、または、この例示的実施形態で示すような、浄化される物品１１６が直接、コンベアベルト上で搬送されるフライト型洗浄機として構成され得る。
【０１１７】
浄化される物品１１６は、搬送装置３１４を用いて供給領域３２０から排出領域３２２へと搬送方向３１８に搬送され得る。この場合、浄化室１１４は、複数の領域に小分けされ得るが、たとえば、事前浄化領域３２４、洗浄領域３２６および最終リンス領域３２８が設けられ得る。さらに、浄化された物品１１６がファン３３２を用いて乾燥される少なくとも１つの乾燥領域３３０が、前述の領域に続いて設けられ得る。
【０１１８】
領域３２４、３２６および３２８は、概して、洗浄領域３３４として呼称され、洗浄領域３３４内で、ノズル１２３を備えるノズルシステムの形態の適用装置３３６が、少なくとも１つの浄化流体１１８を浄化される物品１１６に適用するために設けられ得る。
【０１１９】
したがって、事前浄化ポンプ３４０を用いて事前浄化タンク３４２からの液体が供給される事前浄化ノズルシステム３３８が、事前浄化領域３２４内に設けられ得る。洗浄領域ポンプ３４６を用いて洗浄タンク３４８からの液体が供給される洗浄領域ノズルシステム３４４が、洗浄領域３２６内に設けられ得る。最終リンス領域３２８は、ポンプ最終リンス配置３５０、および搬送方向３１８において次に続く真水最終リンス配置３５２を有し得る。ポンプ最終リンス配置３５０は、ポンプ最終リンスノズルシステム３５４を有し、真水最終リンス配置３５２は、真水最終リンスノズルシステムを有する。ポンプ最終リンスノズルシステム３５４には、最終リンスポンプ３６０を用いてリンスタンク３５８からの液体が供給されるが、真水最終リンスノズルシステム３５６には、真水供給ライン３６２を介して、建物側真水接続部３６４からの真水が供給される。真水供給ライン３６２は、たとえば、加熱装置３６６の形態の温度制御装置１５３を備えてもよく、温度制御装置１５３を用いて、供給される真水が、たとえば８０℃から１００℃までの温度に、好ましくは最低でも８５℃の温度に、加熱され得る。真水供給ライン３６２は、任意に、少なくとも１つの熱回収装置３６８を介して経路決めされてもよく、熱回収装置３６８内で、浄化装置１１０からの排熱が、供給される真水を加熱するために使用され得る。
【０１２０】
浄化される物品１１６は、浄化された物品１１６が乾燥領域３３０内で乾燥される前に、搬送装置３１４を用いて、連続的または不連続的に洗浄領域３３４を通過させられ得る。洗浄領域３３４は、それぞれ、仕切カーテン３７０により仕切られ得る。
【０１２１】
浄化装置１１０は、好ましくはすべて水性の洗浄液である洗浄液の形態のいくつかの種類の浄化流体１１８を使用することが好ましい。たとえば、真水は、真水最終リンス配置３５２において、任意で、追加される最終リンス助剤と共に、好ましくは洗浄液として使用される。真水最終リンス配置３５２において、洗浄液は、浄化される物品１１６と一度だけ接触する。しかし、ポンプ最終リンス配置３５０においては、最終リンスタンクからの最終リンス液３５８は、循環モードにて、浄化される物品１１６に適用される。洗浄タンク３４８内では、洗剤、たとえば洗剤液が、洗浄液に追加され得る。洗浄領域３２６内では、浄化される物品１１６は、循環モードにて、洗浄タンク３４８からの洗浄液を用いて浄化され得る。事前浄化領域３２４内で、浄化される物品１１６は、循環モードにて作用され得る。
【０１２２】
既に説明したように、１つまたは複数の洗浄作用物質が、それぞれ、タンク３４２、３４８および３５８内の洗浄液の形態の浄化流体１１８に混合され得る。この目的のため、図３には示されない１つまたは複数の計量装置が設けられ得る。たとえば、計量装置が、任意に、真水供給ライン３６２上に設けられてもよく、最終リンス剤および／または消毒剤が、真水供給ラインを用いて、真水最終リンス配置３５２に供給されることが可能である。少なくとも１つの計量点の接続部は、たとえば、加熱装置の前方および／または後方であってもよい。代替として、または追加的に、計量装置は、最終リンスタンク３５８上に設けられてもよく、最終リンス剤および／または消毒剤が、前述の計量装置を用いて、最終リンスタンク３５８内に計量されることが可能である。例として、少なくとも１つの計量装置が、任意に、洗浄領域３２６内に設けられてもよく、少なくとも１つの計量装置を用いて、１つまたは複数の洗剤が、洗浄タンク３４８内に計量され得る。代替として、または追加的に、少なくとも１つの計量装置は、事前浄化領域３２４内に設けられてもよく、少なくとも１つの計量装置を用いて、少なくとも１つの洗剤が、事前浄化タンク３４２内に計量され得る。計量装置は、個々に、対で、または前述の組合せで実現され得る。しかし、原則として異なる配置、組み合わせおよび種類の計量も可能である。
【０１２３】
さらに、図示する配置では、浄化装置１１０は、再度、図１の制御装置に類似に構成され得る制御装置１５７を有する。制御装置は、たとえば、集中型機械制御装置であってもよいが、分散型で構成されてもよい。たとえば、浄化装置１１０における１つまたは複数の浄化プログラムは、少なくとも１つの制御装置１５７を用いて制御され得る。制御装置１５７は、特に、真水の供給を制御し得る少なくとも１つの供給バルブ３７２に、および／または計量装置のうちの１つまたは複数に接続されてもよく、これらの要素を作動させることができる。さらに、制御装置１５７は、たとえば、全体的または部分的に、ポンプ３４０、３４６および３６０に接続されてもよく、これらのポンプを作動させることができる。さらに、制御装置１５７は、たとえば、少なくとも１つの搬送装置３１４に接続されてもよく、搬送装置３１４を制御することができる。制御装置１５７は、たとえば、全体的または部分的に調整装置として構成され得るか、および／または少なくとも１つの調整配置を含み得る。制御装置１５は、再度、たとえば図１による構成に類似して、計数装置１７０を備え、計数装置１７０は、たとえば、全体的または部分的にプロセッサ１５８およびデータメモリ１６０を備えることができ、全体的または部分的に、ハードウェアおよび／またはソフトウェア構成要素として設計することができ、または別個に設計することができる。
【０１２４】
制御装置１５７は、再度、たとえば１つまたは複数の動作パラメータを含み得る１つまたは複数の利用パラメータを検出するように設計される。したがって、浄化装置１１０は、図１による例示的実施形態にあるように、たとえば、特定のプログラムを設定することにより１つまたは複数の利用パラメータを生成することができ、および／または、浄化装置１１０を作動させるための１つまたは複数の設定値、たとえばポンプ回転速度の設定値の形態で、１つまたは複数の利用パラメータを生成することができる。しかし、代替として、または追加的に、１つまたは複数の利用パラメータは、再度、図１による例示的実施形態にあるように、センサを用いて検出され得る。したがって、浄化装置１１０は、再度、図１にもあるように、１つまたは複数の動作パラメータを検出するために、１つまたは複数のセンサを有し得る。したがって、浄化装置１１０は、たとえば、浄化される物品に作用する圧力を検出するための１つまたは複数のセンサ、または浄化流体の流動を検出するための体積流量センサを有し得る。代替として、または追加的に、浄化装置１１０は、たとえば、洗浄液の１つまたは複数の構成要素の供給および／または濃度を検出するための１つまたは複数のセンサを有し得る。概して、センサは、直接的または間接的に、少なくとも１つの制御装置１５７に接続され得る。したがって、浄化装置１１０は、たとえば、真水の供給の体積流量および／または質量流量を検出するための少なくとも１つの流量計を有し得る。代替として、または追加的に、浄化装置１１０は、タンク３４２、３４８および３５８内に１つまたは複数のセンサも有し得る。たとえば、濁度センサおよび／または導電率センサがそこに設けられてもよく、濁度センサおよび／または導電率センサを用いて、たとえば洗剤濃度および／または汚れの程度が検出され得る。浄化装置１１０の洗浄液の１つまたは複数の構成要素の供給を調整するため、たとえば、真水の供給を調整するため、および／または洗剤の計量を調整するため、制御装置１５７は、たとえば、ソフトウェアの形態および／またはハードウェアの形態で実装され得る１つまたは複数の調整器を備え得る。これらの調整器は、たとえばセンサを用いておよび／または流量計を用いて、１つまたは複数の実際値を検出することができ、たとえば計量装置および／または供給バルブ３７２を用いて供給を少なくとも１つの設定値に調整することができる。
【０１２５】
図２の例を参照して既に説明したものに類似の方法が、原則として、浄化装置１１０を用いて実行され得る。しかし、図３による浄化装置１１０には、著しくより多い動作変数が存在するため、図３による浄化装置１１０における利用変数は、著しくより複雑な構成となり得る。たとえば、搬送速度、複数のタンク温度、個別の洗浄領域３３４の追加のポンプ回転速度または流体圧力、ファン３３２の加熱力および／もしくはファンの空気出力、または他のパラメータは、追加の動作パラメータとして使用され得る。さらに、スループットパラメータもここでは使用され得る。たとえば単位時間当たりの搬送ラック３１６の数、または搬送ラック３１６の合計数も、ここでは使用され得る。様々な構成が可能である。
【０１２６】
次に、図３は、また、浄化装置１１０に加えて読み取り装置１７４を備える浄化システム１７２の例を図示する。少なくとも１つの読み取り装置１７４は、再度、例として、携帯用機器または固定型機器として構成され得る。浄化装置１１０の固定取付けの場合、たとえば、使用情報を送信するための手段として、固定ネットワークまたはモバイルネットワークを使用することが可能である。
【符号の説明】
【０１２７】
１１０  浄化装置
１１２  単室型食器洗浄機
１１４  浄化室
１１６  浄化される物品
１１８  浄化流体
１２０  適用装置
１２２  洗浄ノズルシステム
１２３  ノズル
１２４  リンスノズルシステム
１２５  スプレーアーム
１２６  ラック
１２８  扉
１３０  洗浄ライン
１３２  洗浄ポンプ
１３４  三方弁
１３６  洗浄タンク
１３８  リンスライン
１４０  リンスバルブ
１４２  リンスポンプ
１４４  リンスタンク
１４６  真水供給ライン
１４８  排出ライン
１５０  排出ポンプ
１５２  出口
１５３  温度制御装置
１５４  加熱要素
１５６  追加の加熱要素
１５７  制御装置
１５８  プロセッサ
１６０  データメモリ
１６２  ユーザインターフェース
１６４  データインターフェース
１６６  温度センサ
１６８  温度センサ
１７０  計数装置
１７２  浄化システム
１７４  読み取り装置
１７６  インターフェース
１７８  ユーザインターフェース
１８０  費用計算装置
１８２  プロセッサ
１８４  ＧＰＳ装置
２１０  開始
２１２  メモリから値Ｎ（ｔ0）を読み取り、ｔ＝ｔ0、Ｎ（ｔ）＝ｎ（ｔ0）に設定する
２１４  クエリ：メンテナンス処理が実行中か？
２１６  ボーナスを減算する
２１８  利用変数を検出する
２２０  重み付けを割り当てる
２２２  時間間隔Δｔに対する使用情報を増分する
２２４  時間間隔Δｔの間待機する
２２６  終了？
２２８  使用情報の現在の値をメモリに書き込む
３１２  パススルー型食器洗浄機
３１４  搬送装置
３１６  搬送ラック
３１８  搬送方向
３２０  供給領域
３２２  排出領域
３２４  事前浄化領域
３２６  洗浄領域
３２８  最終リンス領域
３３０  乾燥領域
３３２  ファン
３３４  洗浄領域
３３６  適用装置
３３８  事前浄化ノズルシステム
３４０  事前浄化ポンプ
３４２  事前浄化タンク
３４４  洗浄領域ノズルシステム
３４６  洗浄領域ポンプ
３４８  洗浄タンク
３５０  ポンプ最終リンス配置
３５２  真水最終リンス配置
３５４  ポンプ最終リンスノズルシステム
３５６  真水最終リンスノズルシステム
３５８  最終リンスタンク
３６０  最終リンスポンプ
３６２  真水供給ライン
３６４  真水接続部
３６６  加熱装置
３６８  熱回収装置
３７０  仕切カーテン
３７２  供給バルブ
【図１】
2020506777.tif 000013
【図２】
2020506777.tif 000014
【図３】
2020506777.tif 000015
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
浄化される物品（１１６）を浄化するための浄化装置（１１０）であって、少なくとも１つの浄化室（１１４）と、前記浄化室（１１４）内で前記浄化される物品（１１６）に少なくとも１つの浄化流体を適用するための少なくとも１つの適用装置（１２０）とを備え、少なくとも１つの制御装置（１５７）をさらに備え、前記制御装置（１５７）は、少なくとも２つの動作モードを実行するために、前記浄化装置（１１０）を作動させるように設計され、前記制御装置（１５７）は、少なくとも１つの利用変数を検出するようにさらに設計され、前記利用変数は、前記浄化装置（１１０）の現在の利用を特徴付け、前記制御装置（１５７）は、少なくとも１つの重み付けを、前記少なくとも１つの利用変数に割り当てるようにさらに設計され、前記制御装置（１５７）は、少なくとも１つの計数装置（１７０）をさらに有し、前記計数装置（１７０）は、前記重み付けで重み付けされる前記浄化装置（１１０）の利用時間を累計し、それから前記浄化装置（１１０）の使用に関する使用情報の少なくとも１つの項目を生成するように設計される、浄化装置（１１０）。
【請求項２】
前記浄化装置（１１０）は、単室型食器洗浄機（１１２）、パススルー型食器洗浄機、フードタイプ食器洗浄機、コンベア食器洗浄機（３１２）、浄化および消毒器、個人用保護装置の浄化および消毒の１つまたは両方のための浄化装置からなる群から選択される、請求項１記載の浄化装置（１１０）。
【請求項３】
前記制御装置（１５７）は、時間検出モードに従い前記利用時間を検出するように設計され、前記時間検出モードは、連続時間検出動作、離散時間間隔における累積時間検出動作、離散利用サイクルにおける累積時間検出動作からなる群から選択される、請求項１または２記載の浄化装置（１１０）。
【請求項４】
前記制御装置（１５７）は、少なくとも１つの割り当てアルゴリズムおよび少なくとも１つの割り当て表の１つまたは両方を用いて、前記重み付けの割り当てを実行するように設計される、請求項１〜３のいずれか１項に記載の浄化装置（１１０）。
【請求項５】
前記利用変数は、前記制御装置（１５７）により検出される、前記浄化装置（１１０）の少なくとも１つの動作パラメータを含むか、または、前記制御装置（１５７）により検出される、前記浄化装置（１１０）の少なくとも１つの動作パラメータを用いて確認される、請求項１〜４のいずれか１項に記載の浄化装置（１１０）。
【請求項６】
前記少なくとも１つの動作パラメータは、前記少なくとも１つの浄化流体の温度と、媒体の消費水準と、前記浄化装置の少なくとも１人の消費者のスイッチオン期間と、前記適用装置（１２０）の少なくとも１つのノズルアーム（１２５）の回転速度と、少なくとも１つの浄化流体の特性と、前記少なくとも１つの浄化流体および前記少なくとも１つの浄化流体の成分の１つまたは両方の種類と、前記浄化装置（１１０）の少なくとも１つの加熱要素（１５４、１５６；３６６）の加熱力と、前記浄化装置（１１０）の電気エネルギー摂取量と、少なくとも１つのポンプ（１３２、１４２、１５０；３４０、３４６、３６０）の回転速度と、ポンプの回転数と、前記浄化される物品に作用する圧力と、前記適用装置を用いて噴射される体積流量と、前記浄化装置（１１０）の少なくとも１つの扉（１２８）の扉動作と、前記浄化装置（１１０）の少なくとも１つの搬送装置（３１４）の搬送パラメータと、時間単位ごとの搬送距離と、絶対搬送距離と、浄化される物品（１１６）の量と、浄化される物品（１１６）のための搬送ラック（３１６）の量と、浄化される物品（１１６）のスループットと、選択される浄化プログラムの種類と、前記浄化装置（１１０）の少なくとも１つの流体タンク（１３６、１４４；３４２、３４８、３５８）内の浄化流体の量と、前記浄化装置（１１０）の振動と、前記浄化装置（１１０）の周囲温度と、前記浄化装置内で浄化される、少なくとも１つの浄化される物品の種類と、前記浄化装置内で浄化される、少なくとも１つの浄化される物品の量と、前記浄化装置内で浄化される、少なくとも１つの浄化される物品の材料と、前記浄化装置内で浄化される、少なくとも１つの浄化される物品の汚れの程度と、前記浄化装置（１１０）の場所と、からなる群から選択される、請求項５記載の浄化装置（１１０）。
【請求項７】
前記計数装置（１７０）は、
【数１】
2020506777.tif 000016
からなる群から選択される少なくとも１つのアルゴリズムに従い前記使用情報を判定するように設計され、
ここでは、
Ｎ（Ｔ）は、時間Ｔにおける前記使用情報の現在の値、
ｃは、較正係数、
Ｔは、使用情報が判定されることが意図される観察時間、
ｐ1、・・・、ｐnは、前記浄化装置（１１０）の利用変数、
ｆは、少なくとも１つの利用変数ｐiに依存する重み付け関数、
ｉは、すべての検出された離散使用間隔に亘る実行変数、および
Ｂ（Ｔ）は、前記浄化装置（１１０）の少なくとも１つのメンテナンス処理の少なくとも１つの実績を考慮するボーナス関数、
である、
請求項１〜６のいずれか１項に記載の浄化装置（１１０）。
【請求項８】
前記重み付け関数は、重み付け係数ｂjで重み付けされる少なくとも２つの利用変数の線形結合
【数２】
2020506777.tif 000017
である、請求項７記載の浄化装置（１１０）。
【請求項９】
前記制御装置（１５７）は、前記少なくとも１つの利用変数が、前記浄化装置（１１０）の少なくとも１つの使用可能寿命および少なくとも１つの待機時間の１つまたは両方を含むようにさらに設計される、請求項１〜８のいずれか１項に記載の浄化装置（１１０）。
【請求項１０】
前記制御装置（１５７）は、少なくとも１つのメンテナンス処理の実績を検出するようにさらに設計され、前記計数装置（１７０）は、前記使用情報を生成する際に、前記メンテナンス処理を考慮するように設計される、請求項１〜９のいずれか１項に記載の浄化装置（１１０）。
【請求項１１】
前記制御装置（１５７）は、前記使用情報の通常使用に対して反対の数学記号を用いて前記メンテナンス処理を考慮するように設計される、請求項１０記載の浄化装置（１１０）。
【請求項１２】
前記メンテナンス処理は、自己浄化サイクル、メンテナンス媒体の使用、定期的浄化動作、前記浄化装置の整備動作からなる群から選択される少なくとも１つの要素を含む、請求項１０または１１記載の浄化装置（１１０）。
【請求項１３】
浄化される物品（１１６）を浄化するための浄化システム（１７２）であって、請求項１〜１２のいずれか１項に記載の少なくとも１つの浄化装置（１１０）を備え、少なくとも１つの読み取り装置（１７４）をさらに備え、前記読み取り装置（１７４）は、前記浄化装置（１１０）から前記使用情報を読み出すように設計される、浄化システム（１７２）。
【請求項１４】
前記読み取り装置（１７４）は、前記浄化システム（１７２）から分離して設計され、少なくとも１つのインターフェース（１７６）を介して前記浄化装置（１１０）に接続され得る、請求項１３記載の浄化システム（１７２）。
【請求項１５】
前記読み取り装置（１７４）は、少なくとも１つの費用計算装置（１８０）をさらに有し、前記費用計算装置（１８０）は、少なくとも１つの使用料を、読み出された前記使用情報に割り当てるように設計される、請求項１３または１４記載の浄化システム（１７２）。
【請求項１６】
浄化される物品（１１６）を浄化するために浄化装置（１１０）を動作させるための方法であって、
前記浄化装置（１１０）は、少なくとも１つの浄化室（１１４）と、前記浄化室（１１４）内で前記浄化される物品（１１６）に少なくとも１つの浄化流体を適用するための少なくとも１つの適用装置（１２０）とを有し、
前記方法は、以下の、
ａ）前記浄化装置（１１０）の少なくとも１つの利用変数を検出するステップであって、前記利用変数が、前記浄化装置（１１０）の現在の使用を特徴付ける、ステップと、
ｂ）少なくとも１つの重み付けを前記少なくとも１つの利用変数に割り当てるステップと、
ｃ）前記重み付けで重み付けされた、前記浄化装置（１１０）の利用時間の累積から、前記浄化装置（１１０）の使用に関する使用情報の少なくとも１つの項目を生成するステップと
を含む、方法。
【請求項１７】
請求項１〜１２のいずれか１項に記載の浄化装置（１１０）が使用される、請求項１６記載の方法。
【請求項１８】
前記方法ステップａ）〜ｃ）は、少なくとも１つのコンピュータまたはコンピュータプログラムを使用して実行される、請求項１６または１７記載の方法。
【請求項１９】
コンピュータプログラムであって、前記コンピュータプログラムがコンピュータまたはコンピュータネットワーク上で実行される場合、請求項１６〜１８のいずれか１項に記載の方法を実行するためのプログラムコードを含むコンピュータプログラム。
【請求項２０】
請求項１〜１２のいずれか１項に記載の浄化装置（１１０）の使用であって、前記浄化装置（１１０）の利用料の使用依存計算のための、浄化装置（１１０）の使用。
【請求項２１】
前記浄化装置（１１０）が食器洗浄機である、請求項１記載の浄化装置（１１０）。
【請求項２２】
前記媒体の消費水準が、水または洗剤からなる群から選択される少なくとも１つの媒体の消費水準である、請求項６記載の浄化装置（１１０）。
【請求項２３】
前記少なくとも１つの浄化流体の特性が、少なくとも１つの浄化流体のｐＨ値および硬度の１つまたは両方と、前記浄化流体内に使用される水のｐＨ値および硬度の１つまたは両方と、からなる群から選択される、請求項６記載の浄化装置（１１０）。
【請求項２４】
前記浄化装置（１１０）の少なくとも１つの搬送装置（３１４）の搬送パラメータが搬送速度である、請求項６記載の浄化装置（１１０）。
【請求項２５】
前記メンテナンス媒体が、水軟化剤およびスケール除去剤の１つまたは両方である、請求項１２記載の浄化装置（１１０）。
【国際調査報告】
2020506777.tif 000018
2020506777.tif 000019
2020506777.tif 000020
2020506777.tif 000021
2020506777.tif 000022
2020506777.tif 000023